(57)【要約】  無線通信受信機は、障害相関計算において異なる送信電力割当て及び異なる送信アンテナ電力分配を考慮することにより、ＭＩＭＯ／ＭＩＳＯシステムの信号障害相関評価を改善する。前記受信機は様々な構造に従って実装してもよく、限定ではなく、ＳＩＣ  Ｇ−ＲＡＫＥ、ＪＤ  Ｇ−ＲＡＫＥ、及びＭＭＳＥ  Ｇ−ＲＡＫＥを含む。採用される具体的な受信機の構造に関わらず、改善された障害相関は、改善された（ＲＡＫＥ）信号合成加重の計算、及び／またはＭＩＭＯ若しくはＭＩＳＯ送信機経由でＨＳＤＰＡチャネルを送信するＷ−ＣＤＭＡシステムにて運用される受信機からの報告のためのチャネル品質評価の改善に用いられ得る。例えばデータ―パイロット信号送信電力比、及び／または送信アンテナ電力分配などの２つ以上の値のシグナリングにより、ＭＩＭＯ／ＭＩＳＯ環境下の無線通信受信機による障害相関判定を容易にするよう送信機を構成することができる。【選択図】図４
2008546349.tif 000002
【特許請求の範囲】
【請求項１】
無線通信受信機において、複数の送信アンテナを有する送信機からパイロット信号と共に送信される１つ以上のデータ信号についての障害相関を計算する方法であって：
データ―パイロット信号送信電力比、並びにデータ及びパイロット信号についての送信アンテナ電力分配の判定と；
前記データ―パイロット信号送信電力比、並びに前記データ及びパイロット信号についての送信アンテナ電力分配の関数としての前記障害相関の計算と；
を含む方法。
【請求項２】
データ―パイロット信号送信電力比並びにデータ及びパイロット信号についての送信アンテナ電力分配の判定は、前記データ―パイロット信号送信電力比と前記データ及びパイロット信号についての送信アンテナ電力分配のうち少なくとも１つのシグナリングされる値としての受信を含む、請求項１に記載の方法。
【請求項３】
データ―パイロット信号送信電力比並びにデータ及びパイロット信号についての送信アンテナ電力分配の判定は、前記データ―パイロット信号送信電力比と前記データ及びパイロット信号についての送信アンテナ電力分配のうち少なくとも１つについての名目上の値の使用を含む、請求項１に記載の方法。
【請求項４】
音声信号を含む他信号が、他信号―パイロット信号送信電力比及び前記他信号についての送信アンテナ電力分配に従って１つまたはより多くの複数の送信アンテナから送信されることと、さらに、前記他信号―パイロット信号送信電力比及び前記他信号についての送信アンテナ電力分配の判定と、追加的に前記他信号―パイロット信号送信電力比及び前記他信号についての送信アンテナ電力分配の関数とする前記障害相関の計算と、を含む、請求項１に記載の方法。
【請求項５】
追加的に前記他信号―パイロット信号送信電力比及び前記他信号についての送信アンテナ電力分配の関数とする前記障害相関の計算は、前記１つ以上のデータ信号の前記送信から生じる障害を表し前記データ―パイロット信号送信電力比に応じて較正される第１の障害相関項と、前記他信号の前記送信から生じる障害を表し前記他信号―パイロット信号送信電力比に応じて較正される第２の障害相関項と、雑音及び他セル干渉から生じる障害を表す第３の障害相関項と、の和として前記障害相関を表現することを含む、請求項４に記載の方法。
【請求項６】
前記他信号―パイロット信号送信電力比の判定は：
受信時の前記１つ以上のデータ信号についての逆拡散の前に行うチップサンプル共分散行列の判定と；
前記チップサンプル共分散行列を、既知のデータ―パイロット信号送信電力比と、既知のパイロット及び他信号についての送信アンテナ電力分配と、雑音及び他セル干渉を表す既知の雑音評価と、前記１つ以上のデータ信号の送信のために使用される送信アンテナの現在選択されている未知または既知のサブセットと、未知の他信号―パイロット信号送信電力比との関数として表現することと；
前記未知の他信号―パイロット信号送信電力比、及び未知であれば前記１つ以上のデータ信号の送信のために使用される送信アンテナの現在選択されているサブセットの最大尤度法に従った解決と；
を含む、請求項４に記載の方法。
【請求項７】
さらに他セル干渉を白色雑音としてモデル化することと、前記チップサンプル共分散行列を前記雑音及び他セル干渉とアンテナ別トラヒック―パイロット信号送信電力比との関数として表現すること並びに前記雑音及び他セル干渉についての対応する等式系を最小二乗法に従って解決することに基づいて前記雑音及び他セル干渉を解決することと、を含む請求項６に記載の方法。
【請求項８】
前記他信号―パイロット信号送信電力比の判定は：
受信時の前記１つ以上のデータ信号についての逆拡散の前に行うチップサンプル共分散行列の判定と；
前記チップサンプル共分散行列を、既知のデータ―パイロット信号送信電力比と、既知のパイロット及び他信号についての送信アンテナ電力分配と、雑音及び他セル干渉を表す未知の雑音評価と、前記１つ以上のデータ信号の送信のために使用される送信アンテナの現在選択されている既知のサブセットと、未知の他信号―パイロット信号送信電力比との関数として表現することと；
前記未知の他信号―パイロット信号送信電力比、及び前記未知の雑音評価の最大尤度法に従った解決と；
を含む、請求項４に記載の方法。
【請求項９】
音声信号を含む他信号が他信号―パイロット信号送信電力比及び前記他信号についての送信アンテナ電力分配に従って１つまたはより多くの複数の送信アンテナから送信され、さらに、前記１つ以上のデータ信号の前記送信から生じる障害を表し前記データ―パイロット信号送信電力比に応じて較正される第１の障害相関項と、前記他信号、他セル干渉、及び熱雑音の前記送信から生じる障害を表す第２の障害相関項と、の和として前記障害相関を表現することを含む、請求項１に記載の方法。
【請求項１０】
前記第２の障害相関項は、測定された障害相関、前記データ―パイロット信号送信電力比、並びに前記データ及びパイロット信号についての送信アンテナ電力分配から、現在の複数入力複数出力（ＭＩＭＯ）のモードに従って判定されることを特徴とする、請求項９に記載の方法。
【請求項１１】
前記障害相関は、さらに前記パイロット信号の前記送信から生じる障害を表す第３の障害相関項を含むことを特徴とする、請求項９に記載の方法。
【請求項１２】
データ―パイロット信号送信電力比並びにデータ及びパイロット信号についての送信アンテナ電力分配の判定は、前記データ―パイロット信号送信電力比並びにデータ及びパイロット信号についての送信アンテナ電力分配を、データ信号障害相関項と、他信号障害相関項と、他セル干渉及び雑音障害相関項とを含む障害相関の合計の評価の判定の一部として判定することを特徴とする、請求項１に記載の方法。
【請求項１３】
前記データ信号についての前記送信アンテナ電力分配は、現在の複数入力複数出力（ＭＩＭＯ）の構成に基づいて判定されることを特徴とする、請求項１に記載の方法。
【請求項１４】
さらに前記障害相関からの信号品質評価の生成を含む、請求項１に記載の方法。
【請求項１５】
前記送信機と無線通信受信機は広帯域符号分割多元接続（Ｗ−ＣＤＭＡ）の運用のために構成され、前記１つ以上のデータ信号は前記送信機から送信される１つ以上の高速ダウンリンクパケット接続（ＨＳＰＤＡ）チャネル信号を含むことを特徴とする、請求項１に記載の方法。
【請求項１６】
複数の送信アンテナを有する送信機を含み１つ以上のデータ及びパイロット信号を送信する複数入力複数出力（ＭＩＭＯ）または複数入力単一出力（ＭＩＳＯ）通信システム内で運用される無線通信受信機による障害相関評価を支援する方法であって：
データ―パイロット信号送信電力比と前記無線通信送信機から送信されるデータ及びパイロット信号についての送信アンテナ電力分配のうち少なくとも１つをシグナリングすること；
を含む方法。
【請求項１７】
さらに現在の複数入力複数出力（ＭＩＭＯ）のモードの関数としての前記シグナリングの動的な更新を含む、請求項１６に記載の方法。
【請求項１８】
複数の送信アンテナを有する送信機からパイロット信号と共に送信される１つ以上のデータ信号についての障害相関を生成するよう構成された１つ以上の処理回路を備える無線通信受信機であって：
データ―パイロット信号送信電力比、並びにデータ及びパイロット信号についての送信アンテナ電力分配の判定と；
前記データ―パイロット信号送信電力比、並びに前記データ及びパイロット信号についての送信アンテナ電力分配の関数としての前記障害相関の計算と；
により前記障害相関を生成する無線通信受信機。
【請求項１９】
データ―パイロット信号送信電力比並びにデータ及びパイロット信号についての送信アンテナ電力分配の判定は、前記データ―パイロット信号送信電力比と前記データ及びパイロット信号についての送信アンテナ電力分配のうち少なくとも１つのシグナリングされる値としての受信を含む、請求項１８に記載の無線通信受信機。
【請求項２０】
データ―パイロット信号送信電力比並びにデータ及びパイロット信号についての送信アンテナ電力分配の判定は、前記データ―パイロット信号送信電力比と前記データ及びパイロット信号についての送信アンテナ電力分配のうち少なくとも１つを、前記無線通信受信機内に保存された名目上の値に基づいて判定することを含む、請求項１８に記載の無線通信受信機。
【請求項２１】
音声信号を含む他信号が他信号―パイロット信号送信電力比及び前記他信号についての送信アンテナ電力分配に従って１つまたはより多くの複数の送信アンテナから送信され、さらに前記１つ以上の処理回路は、前記他信号―パイロット信号送信電力比及び前記他信号についての送信アンテナ電力分配を判定し、追加的に前記他信号―パイロット信号送信電力比及び前記他信号についての送信アンテナ電力分配の関数として前記障害相関を計算するよう構成されることを特徴とする、請求項１８に記載の無線通信受信機。
【請求項２２】
前記１つ以上の処理回路は、追加的に前記他信号―パイロット信号送信電力比及び前記他信号についての送信アンテナ電力分配の関数とする前記障害相関の計算を、前記１つ以上のデータ信号の前記送信から生じる障害を表し前記データ―パイロット信号送信電力比に応じて較正される第１の障害相関項と、前記他信号の前記送信から生じる障害を表し前記他信号―パイロット信号送信電力比に応じて較正される第２の障害相関項と、雑音及び他セル干渉から生じる障害を表す第３の障害相関項と、の和として前記障害相関を表現することにより行うよう構成されることを特徴とする、請求項２１に記載の無線通信受信機。
【請求項２３】
前記１つ以上の処理回路は、前記他信号―パイロット信号送信電力比の判定を：
受信時の前記１つ以上のデータ信号についての逆拡散の前に行うチップサンプル共分散行列の判定と；
前記チップサンプル共分散行列を、既知のデータ―パイロット信号送信電力比と、既知のパイロット及び他信号についての送信アンテナ電力分配と、雑音及び他セル干渉を表す既知の雑音評価と、前記１つ以上のデータ信号の送信のために使用される送信アンテナの現在選択されている未知または既知のサブセットと、未知の他信号―パイロット信号送信電力比との関数として表現することと；
前記未知の他信号―パイロット信号送信電力比、及び未知であれば前記１つ以上のデータ信号の送信のために使用される送信アンテナの現在選択されているサブセットの最大尤度法に従った解決と；
により行うよう構成されることを特徴とする、請求項２１に記載の無線通信受信機。
【請求項２４】
前記１つ以上の処理回路は、他セル干渉を白色雑音としてモデル化し、前記チップサンプル共分散行列を前記雑音及び他セル干渉とアンテナ別データ―パイロット信号送信電力比との関数として表現すること並びに前記雑音及び他セル干渉についての対応する等式系を最小二乗法に従って解決することにより前記雑音及び他セル干渉を解決するよう構成されることを特徴とする、請求項２３に記載の無線通信受信機。
【請求項２５】
前記１つ以上の処理回路は、前記他信号―パイロット信号送信電力比の判定を：
受信時の前記１つ以上のデータ信号についての逆拡散の前に行うチップサンプル共分散行列の判定と；
前記チップサンプル共分散行列を、既知のデータ―パイロット信号送信電力比と、既知のパイロット及び他信号についての送信アンテナ電力分配と、雑音及び他セル干渉を表す未知の雑音評価と、前記１つ以上のデータ信号の送信のために使用される送信アンテナの現在選択されている既知のサブセットと、未知の他信号―パイロット信号送信電力比との関数として表現することと；
前記未知の他信号―パイロット信号送信電力比、及び前記未知の雑音評価の最大尤度法に従った解決と；
により行うよう構成されることを特徴とする、請求項２１に記載の無線通信受信機。
【請求項２６】
前記１つ以上の処理回路は、前記他信号―パイロット信号送信電力比により較正される他信号障害相関項の関数として受信信号チップサンプルから判定されるチップサンプル共分散行列を表現し、前記チップサンプル共分散行列から現在の送信アンテナ選択の影響を除去し、前記無線通信受信機に向けてのデータ信号の送信に用いられる１つ以上の所望の送信アンテナの選択の前記影響を考慮することにより、追加的に前記他信号―パイロット信号送信電力比及び前記他信号についての送信アンテナ電力分配の関数とする前記障害相関の計算を行うよう構成されることを特徴とする、請求項２１に記載の無線通信受信機。
【請求項２７】
前記１つ以上の処理回路は、アンテナ別パイロット信号から純応答を計算することにより前記障害相関を判定するよう構成されることを特徴とする、請求項２１に記載の無線通信受信機。
【請求項２８】
音声信号を含む他信号が他信号―パイロット信号送信電力比及び前記他信号についての送信アンテナ電力分配に従って１つまたはより多くの複数の送信アンテナから送信され、さらに、前記１つ以上の処理回路は、前記１つ以上のデータ信号の前記送信から生じる障害を表し前記データ―パイロット信号送信電力比に応じて較正される第１の障害相関項と、前記他信号、他セル干渉、及び熱雑音の前記送信から生じる障害を表す第２の障害相関項と、の和として前記障害相関を表現するよう構成されることを特徴とする、請求項１８に記載の無線通信受信機。
【請求項２９】
前記１つ以上の処理回路は、前記第２の障害相関項を、測定された障害相関、前記データ―パイロット信号送信電力比、並びに前記データ及びパイロット信号についての送信アンテナ電力分配に基づいて、現在の複数入力複数出力（ＭＩＭＯ）のモードに従って判定するよう構成されることを特徴とする、請求項２８に記載の無線通信受信機。
【請求項３０】
前記１つ以上の処理回路は、前記障害相関を、さらに前記パイロット信号の前記送信から生じる障害を表す第３の相関項を含む和として表現するよう構成されることを特徴とする、請求項２８に記載の無線通信受信機。
【請求項３１】
前記データ信号についての前記送信アンテナ電力分配は、現在の複数入力複数出力（ＭＩＭＯ）の構成に基づいて判定されることを特徴とする、請求項１８に記載の無線通信受信機。
【請求項３２】
前記１つ以上の処理回路は、１つ以上の選択された送信アンテナについての１つ以上のチャネル品質評価を、前記障害相関、前記データ―パイロット信号送信電力比、並びにデータ及びパイロット信号についての送信アンテナ電力分配の関数として生成するよう構成されることを特徴とする、請求項１８に記載の無線通信受信機。
【請求項３３】
前記無線通信受信機は汎用レイク受信機であり、前記１つ以上の処理回路は、前記障害相関から重みを合成する信号を生成するよう構成されることを特徴とする、請求項１８に記載の無線通信受信機。
【請求項３４】
前記送信機と無線通信受信機は広帯域符号分割多元接続（Ｗ−ＣＤＭＡ）の運用のために構成され、前記１つ以上のデータ信号は前記送信機から送信される１つ以上の高速ダウンリンクパケット接続（ＨＳＰＤＡ）チャネル信号を含むことを特徴とする、請求項１８に記載の無線通信受信機。
【請求項３５】
前記無線通信受信機は、同一のシンボル時間の間に送信された対象の各符号シンボルを個別の基準で検知する最小平均二乗誤差検知を行い、一方他の全ての符号シンボルを雑音として扱うよう構成されることを特徴とする、請求項１８に記載の無線通信受信機。
【請求項３６】
前記無線通信受信機は、同一のシンボル時間の間に送信された同一の符号を有する対象の符号シンボルを結合検知の基準で検知する結合検知を行い、一方他の全ての符号シンボルを雑音として扱うよう構成されることを特徴とする、請求項１８に記載の無線通信受信機。
【発明の詳細な説明】
【技術分野】
【０００１】
本発明は、無線通信ネットワークに関し、特に複数入力複数出力（ＭＩＭＯ：Ｍｕｌｔｉｐｌｅ−Ｉｎｐｕｔ−Ｍｕｌｔｉｐｌｅ−Ｏｕｔｐｕｔ）システム、複数入力単一出力（ＭＩＳＯ：Ｍｕｌｔｉｐｌｅ−Ｉｎｐｕｔ−Ｓｉｎｇｌｅ−Ｏｕｔｐｕｔ）システムなどの複数アンテナ送信システムにおける受信信号の障害相関の評価に関する。
【背景技術】
【０００２】
無線信号処理において、受信信号の障害の判定は重要な役割を占めている。例えば、いくつかの形態の干渉除去受信機は、受信信号のマルチパス成分間の信号障害の相関を利用して干渉の抑制度を向上させている。汎用レイク（Ｇ−ＲＡＫＥ）受信機は、そうした運用の一例として、障害相関評価を組み入れた合成加重ｗを用いて通信対象の受信信号のマルチパス遅延成分を合成することに基づき、復調のための合成信号を生成している。
【０００３】
より詳細には、合成加重ｗはｗ＝Ｒ−１ｈと表現され、ここでＲ−１は障害共分散行列Ｒの逆行列、ｈはチャネル応答ベクトルである。（共分散行列はゼロ平均の障害相関を数式化するために用いられ得る。）よって、Ｇ−ＲＡＫＥ合成は障害相関評価の計算に依存するが、例えば障害相関に基づいて（等化フィルタの）加重Ｗを計算するチップ等化器構造のように、他の形態の干渉除去受信機にも同様の依存性は存在する。
【０００４】
さらに、受信信号品質ρを、前記加重の関数として表現することができる（ρ＝ｈ＊Ｗ＝ｈ＊Ｒ−１ｈ）。チャネル品質の評価などの信号品質の評価は、多くの形態の無線通信システムにおいて重要な役割を占める。例えば、いくつかのシステムは、利用可能な送信電力と利用者に特化した優勢な無線の条件とから許容される最高の速度で、個々の利用者にデータを送信する速度制御チャネルを用いている。所与の利用者に対して選択されるデータ転送速度は、その利用者からのチャネル品質フィードバックに依存する。Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）標準におけるＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンクパケット接続）チャネルは、チャネル品質フィードバックに依存する速度制御チャネルの１つの形態の代表であり、一方ｃｄｍａ２０００標準における共有転送パケットデータチャネル（Ｆ−ＰＤＣＨｓ：Ｆｏｒｗａｒｄ  Ｐａｃｋｅｔ  Ｄａｔａ  Ｃｈａｎｎｅｌｓ）は、速度制御チャネルの別の形態を表している。
【０００５】
どの特定の標準を用いるかに関わらず、チャネル品質の報告（ｒｅｐｏｒｔｉｎｇ）を行うと、実条件で支援（ｓｕｐｐｏｒｔ）され得るよりも低い速度で個々の利用者にサービスが提供されるため、一般的にはシステムの非効率性が生じる。また、非効率性が生じるだけでなく、実際の条件に対して速すぎるデータ転送速度が設定されている場合にはそうしたシステムで大抵用いられるＡＲＱプロトコルにより超過データの再送信が引き起されることから、チャネル品質の報告を過度に行うことで報告頻度が低い場合よりも実際には品質が悪くなる可能性もある。
【０００６】
ＨＳＤＰＡ信号及び他の種類のネットワークにおける同種の信号において、多くの利用者が時間多重化方式によってパケットデータチャネルを共有している。例えば、複数利用者向けの情報ストリームを、１人だけの利用者に任意の時点でサービスが提供されているかのように、基地局のスケジューラによって共有パケットデータチャネル上に時間多重化することができる。利用者に特有の無線条件及び現時点で利用可能な送信電力、並びに送信する基地局における拡散符号資源によって、共有チャネル上で実現される事前利用者（ｐｒｅ−ｕｓｅｒ）データ転送速度が判定される。
【０００７】
サービススケジューラは、多くの場合、各利用者がサービスを受けられるデータ転送速度に応じて継続中のスケジューリング判定を行う。即ち、スケジューラは、より無線条件のよい利用者を有利に扱うのである。その理由は、そうした利用者の方がより速い転送速度でサービスを提供でき、それにより共有チャネルの総データ処理量が増加するためである。よって個々の利用者は、動的スケジューリングの支援の下に、共有チャネル信号についてのチャネル品質評価を継続的にフィードバックする。この事実が実質的に意味するのは、共有チャネル上で実際にデータを受信している時点であるかどうかによらず、共有チャネルのチャネル品質を利用者が評価しているということである。
【０００８】
前述の事情に鑑みると、チャネル品質の正確な報告は、単一入力単一出力（ＳＩＳＯ：Ｓｉｎｇｌｅ−Ｉｎｐｕｔ−Ｓｉｎｇｌｅ−Ｏｕｔｐｕｔ）システムにおいて難しい上に、複数入力複数出力（ＭＩＭＯ）及び複数入力単一出力（ＭＩＳＯ）システムではより一層困難となる。実際、ＭＩＭＯ及びＭＩＳＯシステムなどの複数の送信アンテナを有するシステムでは、データ信号は１つよりも多くのアンテナから送信され、データ信号拡散符号はアンテナ間で再使用される可能性があり、即ちマルチ符号が採用され得る。さらに、例えば音声、専用パケット、ブロードキャスト、制御、及びオーバヘッドチャネル信号などの他の信号が、１つ以上のアンテナから送信される可能性がある。
【発明の開示】
【０００９】
本発明に係る無線通信受信機は、障害相関（ｉｍｐａｉｒｍｅｎｔ  ｃｏｒｒｅｌａｔｉｏｎ）の計算において、異なる送信電力割当て及び異なる送信アンテナ電力分配を考慮することにより、ＭＩＭＯ／ＭＩＳＯシステムにおける信号障害相関評価を改善する。限定ではないが、その受信機は、連続干渉除去法、結合検波法、または最小平均二乗誤差法を採用したＲＡＫＥ受信機を含む様々な構成により実装することができる。どの受信機の構成を採用するかに関わらず、改善された障害相関は、ＭＩＭＯまたはＭＩＳＯ送信機を介したＨＳＤＰＡチャネルの送信を行う広帯域ＣＤＭＡ（Ｗ−ＣＤＭＡ）において運用される受信機による、（ＲＡＫＥ）信号の合成加重の改善された計算、及び／または報告のためのチャネル品質の改善された評価に用いることができる。
【００１０】
しかしながら、いわゆる当業者は、本発明が前述の特徴及び利点に限定されるものではないことを理解するべきである。実際、いわゆる当業者は、本発明の選択された実施形態についての以降の詳細な説明を読み、対応する図面を参照することにより、本発明の追加的な特徴及び利点を認識するであろう。
【００１１】
図１には無線通信ネットワーク１０が部分的に描かれており、そこには包括的に“送信アンテナ１４”と呼ばれる複数の送信アンテナ１４−１〜１４−Ｍを介して転送リンク信号を送信するよう適合される、複数アンテナ送信機１２が含まれる。例えば携帯型の無線電話や他の種類の無線通信装置である無線通信受信機１６は、包括して“受信アンテナ１８”と呼ばれる受信アンテナ１８−１〜１８−Ｒ上で、送信機１２から送信された１つ以上の転送リンク信号を受信する。図１は、複数の送信アンテナ及び受信アンテナを伴うシステム、即ち複数入力複数出力（ＭＩＭＯ）型のアンテナシステムを描いている。
【００１２】
現在、ＷＣＤＭＡ標準の高速ダウンリンクパケット接続（ＨＳＤＰＡ）の提供におけるデータ転送速度を向上させるために、ＭＩＭＯアンテナシステムに対する強い関心が集まっている。これら高速のチャネル共有は、高速ダウンリンク共有チャネル（ＨＳ−ＤＳＣＨｓ：Ｈｉｇｈ  Ｓｐｅｅｄ  Ｄｏｗｎｌｉｎｋ  Ｓｈａｒｅｄ  Ｃｈａｎｎｅｌｓ）としても知られ、ｃｄｍａ２０００標準にて定義されている転送パケットデータチャネル（Ｆ−ＰＤＣＨ：Ｆｏｒｗａｒｄ  Ｐａｃｋｅｔ  Ｄａｔａ  Ｃｈａｎｎｅｌ）はある程度類似する機能を提供する。いずれの場合にも、大きく注目を集めている２つの技術とは、例えば垂直型（Ｖ−ＢＬＡＳＴ）システムの変化型であるＣＲ−ＢＬＡＳＴ（Ｃｏｄｅ  Ｒｅｕｓｅ  Ｂｅｌｌ  ｌａｂｓ  Ｌａｙｅｒｅｄ  Ａｒｃｈｉｔｅｃｔｕｒｅ  Ｓｐａｃｅ−Ｔｉｍｅ）などの空間多重化、及びアンテナ別速度制御（ＰＡＲＣ：Ｐｅｒ  Ａｎｔｅｎｎａ  Ｒａｔｅ  Ｃｏｎｔｒｏｌ）である。
【００１３】
これらの、及び他のＭＩＭＯ方式は、一般的に、受信機１６におけるアンテナ別のチャネル評価を容易にするためのアンテナ別パイロット信号の送信と、送信アンテナ１４の全てまたは選択された１つからのデータ信号サブストリームの送信と、１つ以上の送信アンテナ１４からの他の（追加的な）信号の送信を含む。“他の”信号の例には、オーバヘッドチャネル、ブロードキャスト及び制御チャネル、並びに様々な専用チャネル（例えば音声及び専用パケットデータ）などが含まれる。ここで用いられる“データ信号”という用語は、特に断りの無い限り、一般的に、例えばＨＳ−ＤＳＣＨなどの高速共有データチャネルのことを指す。
【００１４】
図２及び図３には、データ信号、パイロット信号、及び他の信号に関する送信電力割当て及び送信アンテナ電力分配の様子が示されている。具体的には、図２において、送信機１２にて送信される様々な種類の信号に割当て得る送信電力量は有限であり、よってデータ、パイロット、及び他の信号に対し全ての送信電力が所定の割合で割当てられる様子が示されている。さらに、送信機１２は、所与の種類の信号に割当てられた電力を、利用可能な複数の送信アンテナ１４の間で分割しなければならない。即ち、ある量だけ割当てられたパイロット信号の電力は各アンテナ１４に分配され、ある量だけ割当てられたデータ信号及び他の信号の電力もまたアンテナ１４間で分配される。
【００１５】
例えば、ある量のパイロット信号の電力は、一般的には各アンテナ１４から送信され、受信機１６におけるアンテナ別チャネル評価に用いられる。一方、他の信号は全て、送信アンテナ１４の中の１つまたは固定されたアンテナのサブセットから送信することができ、よって他の信号の電力割当ては典型的には全てのアンテナ１４には分割されない。同様に、データ信号が全ての送信アンテナ１４から送信される一方で、アンテナ１４のサブセットからデータ信号を送信する場合には、特に受信機１６からのフィードバックに応じてサブセットを動的に選択することで、性能を改善することができる。
【００１６】
正確な障害相関評価を提供することは、前述の意味において、受信機１６にとっての大きな課題である。正確な障害相関評価は、合成／等化フィルタ加重生成またはチャネル品質評価などの他の受信信号処理操作についての前提事項となるため、受信機１６はそうした課題を十分に解決しなければならない。これを受けて、受信機１６は、送信アンテナ１４または送信機１２からパイロット信号と併せて送信される１つ以上のデータ信号についての障害相関評価を生成するよう構成された１つ以上の処理回路２０を含むこととする。
【００１７】
より詳細には、少なくとも１つの実施形態において、データ信号とパイロット信号間の送信電力比、及びデータ信号とパイロット信号の送信アンテナ電力分配の判定に基づいて障害相関を計算するように１つ以上の処理回路は構成され、障害相関の計算は前記データ―パイロット送信電力比及び前記データ信号とパイロット信号の送信アンテナ電力分配の関数として行われる。さらに、１つ以上の実施形態において、こうした計算では現在のＭＩＭＯモードが考慮され、それにより例えばデータ信号に対する送信アンテナ電力分配に影響がある。即ち、他のパラメータまたは値の中で、データ信号に対する送信アンテナ電力分配は、現在のＭＩＭＯ構成に基づいて判定することができる。
【００１８】
１つの実施形態として、少なくとも１つのデータ―パイロット信号送信電力比、及びデータ信号とパイロット信号の送信アンテナ電力分配には、受信機１６にて受信された信号値が含まれる。より一般的には、ここで開示されているのは、複数の送信アンテナを有し１つ以上のデータ及びパイロット信号を送信する送信機を含むＭＩＭＯまたはＭＩＳＯ通信システムを動作させる無線通信受信機による障害相関評価を支援する方法である。１つの実施形態として、その方法には、データ―パイロット信号送信電力比、及び無線通信送信機により送信されるデータ信号とパイロット信号の送信アンテナ電力分配のうち少なくとも１つをシグナリング（ｓｉｇｎａｌｉｎｇ）することが含まれる。さらに、そうしたシグナリングを、現在のＭＩＭＯモードの関数として動的に更新してもよい。この方法により、電力比及びまたは送信アンテナ電力分配の変更を、障害相関の計算に用いるために受信機へシグナリングすることができる。
【００１９】
他の実施形態として、データ―パイロット信号送信電力比、及びデータ信号とパイロット信号の送信アンテナ電力分配には、受信機１６に保存される名目値が含まれる。さらに、別の実施形態としては、音声信号を含む他の信号が、他信号―パイロット信号送信電力比、及び他信号送信アンテナ電力分配に応じて送信アンテナ１４から送信される。この場合、１つ以上の処理回路２０は、さらに、他信号―パイロット信号送信電力比及び他信号送信アンテナ電力分配を判定し、前記他信号―パイロット信号送信電力比及び前記他信号送信アンテナ電力分配の関数として障害相関を計算するよう構成される。より詳細には、１つ以上の処理回路を、１つ以上のデータ信号の送信によって発生しデータ―パイロット信号送信電力比によって計測される第１の障害相関項目と、他信号の送信によって発生し他信号―パイロット信号送信電力比によって計測される第２の障害相関項目と、雑音及び他セル干渉から生じる第３の障害相関項目との合計として障害相関を表現するよう構成することができる。
【００２０】
この方法において、他信号―パイロット信号送信電力比の判定は、受信した１つ以上のデータ信号の逆拡散に先立ってチップサンプル共分散行列を判定することに基づいて行うことができ、チップサンプル共分散行列は、既知のデータ―パイロット信号送信電力比と、既知のパイロット及び他信号についての送信アンテナ電力分配と、雑音及び他セル干渉を表す既知の雑音評価と、１つ以上のデータ信号の送信のために現在選択されている未知または既知の送信アンテナのサブセットと、未知の他信号―パイロット信号送信電力比との関数として数式化される。この方法では続けて、最大尤度の公式に従って、未知の他信号―パイロット信号送信電力比、及び未知であれば１つ以上のデータ信号の送信のために現在選択されている送信アンテナのサブセットの式を解くことを行う。
【００２１】
他の同様の実施形態では、現在選択されている送信アンテナのサブセットは既知であり、よって前記数式には、既知のデータ―パイロット信号送信電力比と、既知のパイロット信号と他信号送信アンテナ電力分配と、雑音及び他セル干渉を表す未知の雑音評価と、１つ以上のデータ信号の送信のために現在選択されている既知の送信アンテナのサブセットと、未知の他信号―パイロット信号送信電力比との関数が含まれる。本実施形態において、この方法では、最大尤度の公式に従って、未知の他信号―パイロット信号送信電力比、及び未知の雑音評価の式を解くことを行う。一般的には、その式は様々な数の未知の要素を有し、最大尤度の公式はそれに応じて適合され得ることが理解されるべきである。当然ながら、未知の要素が増えるにつれ、解探索空間は増大する。
【００２２】
他の実施形態において、１つ以上の処理回路２０を、他セル干渉を白色雑音としてモデル化し、チップサンプル共分散行列を雑音及び他セル干渉とアンテナ別トラヒック―パイロット信号送信電力比との関数として表現することで雑音及び他セル干渉を解くよう適合することができる。このとき、アンテナ別トラヒック―パイロット信号送信電力比は、αＴ／Ｐ（ｍ）として表され、ｍ番目の送信アンテナ１４上のデータ信号、他信号、パイロット信号の総電力のｍ番目の送信アンテナ１４上のパイロット信号の電力に対する比として定義される。この手法では、１つ以上の処理回路２０は、最小二乗法の公式に従って、対応する雑音及び他セル干渉の数式体系を解く。
【００２３】
方法としての他の実施形態において、障害相関は、受信機１６から報告されるチャネル品質評価の生成のために用いられる。この方法のために、１つ以上の処理回路２０は、他信号―パイロット信号送信電力比によって較正（ｓｃａｌｅ）される他信号の障害相関項目を計算することにより、追加的に他信号―パイロット信号送信電力比及び他信号送信アンテナ電力分配の関数として障害相関を計算するよう構成される。この場合、１つ以上の処理回路２０は、他信号により生じる障害相関を受信信号サンプルから得られるチップサンプル行列の関数として数式化するが、その受信信号サンプルからは、データ信号の送信に用いるために現在選択している送信アンテナのセットの影響が除かれる。この方法ではその後、チップ障害共分散行列上のそうした選択の影響を考慮して、受信機１６へのデータ信号の送信に用いる１つ以上の所望の送信アンテナ選択についての障害相関を判定する。この方法において、受信機１６を、所望の送信アンテナ選択について改善されたチャネル品質評価を提供するよう構成してもよい。一般的には、受信機１６は、障害相関、データ―パイロット信号送信電力比及びデータ信号とパイロット信号の送信アンテナ電力分配の関数として、選択された１つ以上の送信アンテナについての１つ以上のチャネル品質評価を生成するよう構成することができる。
【００２４】
さらに、受信機１６を、１つ以上の処理回路２０が障害相関から信号合成加重を生成するよう構成される形のレイク受信機として構成してもよい。受信機１６のレイク型の１つの実施形態は、最小平均二乗誤差法（ＭＭＳＥ：Ｍｉｎｉｍｕｍ  Ｍｅａｎ  Ｓｑｕａｒｅ  Ｅｒｒｏｒ）による検知を行うよう構成される。１つ以上のデータ信号には符号シンボルがそれぞれ付随し、受信機１６は、同一のシンボル時間中に送信される符号シンボルを個別に検知する一方、他の全ての符号シンボルを（有色の）雑音として扱うよう構成される。他のレイク型の実施形態では、受信機１６は結合検知（ｊｏｉｎｔ  ｄｅｔｅｃｔｉｏｎ）を行うよう構成され、その場合には、同一のシンボル時間中に送信される同一符号の符号シンボルは結合的に検知される一方、他の全ての符号シンボルは雑音として扱われる。
【００２５】
全てのこうした実施形態は、広帯域ＣＤＭＡ（Ｗ−ＣＤＭＡ）の運用として有利に用いられ得る。特に、ここで開示する障害相関判定（及びその結果を受けての合成加重生成及び／またはチャネル品質評価）のための方法及び装置は、送信機１２が１つ以上の高速ダウンリンクパケット接続（ＨＳＤＰＡ）チャネル信号を複数のアンテナ１４から送信する状況において有効である。
【００２６】
前述の観点に留意しながら、まず実施形態についてのより詳細な検討を、アンテナ別チャネル評価から純応答ベクトルを計算するよう構成される純応答計算部２０−１、障害相関を計算するよう構成される障害相関計算部２０−２、及び純応答ベクトルと障害相関との関数としてチャネル品質評価を生成するよう構成される任意的なチャネル品質評価生成部２０−３を含む処理回路２０について行う。いわゆる当業者であれば、処理回路２０は、ハードウェア、ソフトウェア、またはそれらのいかなる組合せとして実装することもできることを理解するであろう。少なくとも１つの実施形態では、１つ以上の処理回路２０には、ベースバンドデジタル信号プロセッサ、または受信機１６に含まれる類似のものが含まれる。
【００２７】
図４には、１つ以上の処理回路２０に実装し得る処理ロジックの１つの実施形態が描かれており、まず処理回路２０は純応答ベクトルを所与の受信機のフィンガ位置のセットごとに計算する（ステップ１００）。即ち、受信機１６には送信機１２から送信される信号の所与のマルチパス成分に割当てられた１つ以上の相関器バンクが含まれ、さらに汎用レイク（Ｇ−ＲＡＫＥ）の応用において行われているように経路外（ｏｆｆ−ｐａｔｈ）に追加的な相関“フィンガ”が配置される。例えば、ｈ％ｍがｍ番目の送信アンテナに対応する純応答ベクトルであって、ここでｈ％ｍの％の表記は、（純応答が依存する）チャネルのタップ利得がシンボルごとのパイロットエネルギーを基準として較正される事実を強調している。（これは、較正を暗黙的に含む逆拡散パイロットシンボルから得られるチャネル評価をパラメータとして用いて少なくとも純応答が形成される実施形態においてのものである。）
【００２８】
純応答ベクトルｈ％ｍのｑ番目の成分は、次式で与えられる：
【００２９】
【数１】
2008546349.tif 000003
ここでｑは、ｌ番目の受信アンテナ１８上の特定のフィンガを指す。このフィンガの位置は、遅延τｑによって特定される。Ｐはチャネルタップ数であり、τｌｍｐ及びｇ％ｌｍｐは、ｍ番目の送信アンテナとｌ番目の受信アンテナとの間のチャネルの、それぞれｐ番目のタップ遅延及び（パイロット）較正チャネル利得である。ｘ（τ）は、チップパルス波形の自己相関である。直前に触れたように、チャネルタップ利得はパイロットエネルギーによる較正を含み、次式で表される：
【００３０】
【数２】
2008546349.tif 000004
ここでＥＰは全ての送信アンテナ上の全てのパイロットに割当てられるチップ別総エネルギー、ＮＰはパイロットチャネルに用いられる拡散因子であって例えばＷＣＤＭＡ標準ではＮＰ＝２５６、αＰＳ（ｍ）はｍ番目のアンテナのパイロット信号送信電力分配、そしてｇｌｍｐはｇ％ｌｍｐに対応する（未較正の）チャネル利得である。ルート記号の内部の量は、ｍ番目の送信アンテナ上のシンボルごとの正確なパイロットエネルギーである。
【００３１】
処理は、障害相関の計算を、純応答の関数、さらにデータ―パイロット信号送信電力比、送信アンテナ間のデータ信号電力分配、及び送信アンテナ１４間のパイロット信号電力分配の関数として続行する（ステップ１０２）。障害計算はさらに、他信号―パイロット信号送信電力比及び送信アンテナ１４間の他信号電力分配を考慮に入れてもよいことに留意すべきである（ステップ１０２Ａ）。よって、障害相関（の総計）は、データ信号障害相関、他信号障害相関、他セル障害相関、及び、任意でパイロット信号障害相関の合計として表現することができる（ステップ１０２Ｂ）。
【００３２】
障害相関が計算されたことにより、処理回路２０は、１つ以上の選択された送信アンテナ１４について１つ以上のチャネル品質評価を、障害相関、データ―パイロット信号送信電力比、及びデータ信号とパイロット信号の送信アンテナ電力分配の関数として生成する（図２及び図３参照）（ステップ１０４）。例として、受信機１６はチャネル品質評価を、任意に選択した送信アンテナについての符号ごとのチップ別ＳＩＮＲ（Ｓｉｇｎａｌ−ｔｏ−Ｉｎｔｅｒｆｅｒｅｎｃｅ−Ｒａｔｉｏ：信号対干渉比）として計算することができ、次式で表現される：
【００３３】
【数３】
2008546349.tif 000005
ここでβｄｓ／ｐｓはデータ―パイロット信号送信電力比（総送信電力割当て比）、Ｋはデータ信号に割当てられた（アクティブアンテナ間で再使用される）マルチ符号の数、そしてαｄｓ（ｍ）はｍ番目のアンテナのデータ信号送信電力分配である。さらに、ｈ％ｍはｍ番目の送信アンテナに対応する純応答ベクトル（ｈ％＋ｍは純応答ベクトルのエルミート転置）、Ｒ％はステップ１０２にて実行された障害相関判定に基づく障害共分散行列である。
【００３４】
ステップ１０２にて述べた通り、障害相関の総計には、様々な障害の起源を表す複数の項目が含まれる。よって、１つの実施形態として、障害相関Ｒ％は次式で表される：
【００３５】
【数４】
2008546349.tif 000006
ここでＲ％ｄｓはデータチャネル信号を原因とする障害を示すデータ信号障害相関項目、Ｒ％ｏｓは他チャネル信号（例えば、音声、ブロードキャスト、オーバヘッド等）を原因とする障害を示す他信号障害相関項目、そしてＲ％ｏｃは他セル干渉と雑音との組合せを示す他セル干渉及び雑音障害相関項目である。他セル干渉を白色雑音に近似できる場合には、Ｒ％ｏｃは、Ｎｏを他セル干渉及び雑音のスペクトル密度、Ｒｐｕｌｓｅをパルス波形の自己相関とすると、Ｒ％ｏｃ＝ＮｏＲｐｕｌｓｅで表される（式（１）に示した純応答ベクトルについて議論した際に述べたように、％の表記は較正を意味していることに注意）。
【００３６】
障害共分散行列は、データ及び音声チャネルが異なるフェーディングチャネルにまたがる（ｔｒａｖｅｒｓｅ）という事実を反映し、複数の項目に分割される。さらに、等式（４）における式は、暗黙的にパイロット信号の減算が受信機１６にて実行されることを前提としており、よってパイロット信号を原因とする干渉成分が存在しないことに注意して欲しい。受信機１６がパイロット信号の減算を実行しない場合は、式中のＲ％にはパイロット信号障害項目Ｒ％ｐｓが含まれることになる。
【００３７】
前記手法は特に、様々な送信機及び受信機の構成に応じて実装することができる。例えば、図５には、Ｍ個の送信アンテナ１４からのＮ個のデータ信号サブストリームの送信（Ｎ＜Ｍ）を示す、送信機１２のＳ−ＰＡＲＣ送信構造が描かれている。図示された送信機１２のＳ−ＰＡＲＣ型の実施形態には、１対Ｎデマルチプレクサ２２、複数の符号化／変調／拡散器２４、アンテナ選択部２６、第１の合計器２８、送信アンテナ１４−１から１４−Ｍに対応する追加的合計器３０−１から３０−Ｍが含まれる。
【００３８】
動作上、デマルチプレクサ２２は、例えばＨＳ−ＤＳＣＨビットストリームなどの情報ストリームをＮ個のサブストリームに分割し、サブストリームはそれぞれ符号化／変調／拡散器２４に入力される。アンテナ選択部２６は、符号化／変調／拡散器２４から処理結果として出力されるサブストリームの送信のために、アンテナ１４のサブセットを選択する。合計器２８は、サブストリームの最初の１つを、アンテナ１４の第１のアンテナからの送信のために他の信号（音声、オーバヘッド、制御信号等）と合成する。また、合計器３０−１〜３０−Ｍは、Ｍ個の各パイロット信号をＭ個の送信アンテナ１４のそれぞれに付加する。
【００３９】
Ｓ−ＰＡＲＣにおいて、デマルチプレクサ２２、符号化／変調／拡散器２４、アンテナ選択部２６は全て、受信機１６からのチャネル品質フィードバック（例えばチャネル品質通知（ＣＱＩ：Ｃｈａｎｎｅｌ  Ｑｕａｌｉｔｙ  Ｉｎｄｉｃａｔｏｒ）フィードバック）を受けて動作する。即ち送信機１２は、一般的には、サブストリーム数の選択、符号化レート及び変調方式、並びに所定の送信アンテナサブセットを受信機によるチャネル品質フィードバックの関数として選択することで、処理量（または他のいくつかのサービス測定基準）を最大化することを試みる。
【００４０】
Ｓ−ＰＡＲＣにおいて（及び他のＭＩＭＯシステムにおいて）、受信機でのチャネル品質評価の動作は、データ信号、パイロット信号及び他信号が全て異なるフェーディングチャネルにまたがるという事実によって複雑化している。例えば、図５には、選択されたアンテナ１４のサブセットから送信されるデータ信号、アンテナ１４の第１のアンテナのみから送信される他信号、及び全てのアンテナ１４から送信されるパイロット信号が示されている。全てのアンテナからのパイロット信号の送信は、受信機１６の全てのチャネルでの評価を可能にするために必要となる。
【００４１】
ＣＱＩ評価は、ＨＳＤＰＡ用の複数の拡散符号が、様々な送信アンテナ上で符号数の限界の問題を回避するために再利用されるという事実によってさらに複雑化している。結果として、各パイロットチャネル上で受信機１６によって測定される（符号の再利用が採用されていない場合の）ＳＩＮＲは、スケジューリングされた送信データ信号を受信していた場合のデータチャネルによって経験され得るＳＩＮＲとは単純には関連しない。さらに、いくつかの受信機の構造は、パイロットに基づくチャネル品質評価に自動的には反映されない干渉除去をデータ信号に適用する。そしてさらに重大な問題は、受信機１６が一般的には現在選択された送信アンテナのサブセットとは典型的に異なる１以上の送信アンテナの選択について、一般的にＣＱＩを報告しなければならないことである。この状況は、共有データ信号上でサービスを受けている全ての受信機が、それらがスケジューリングされておらず、現在のアンテナ選択がスケジューリングされた受信機についてのみ有効である場合でさえも、ＣＱＩの報告を要求され得るために発生する。
【００４２】
ＭＩＭＯシステム（及び複数入力単一出力（ＭＩＳＯ）システム）向けに本明細書にて開示する手法であって、チャネル品質評価を改善する第１の詳細な手法は、受信機１６が自身のチャネル品質評価において考慮すべき障害相関を表す障害共分散行列を形成するために、全ての自己セル干渉（データ、音声、パイロット）及び他セル干渉についてパラメータ形式を用いるという、完全パラメータ法（ｆｕｌｌ−ｐａｒａｍｅｔｒｉｃ  ａｐｐｒｏａｃｈ）として検討される。
【００４３】
障害共分散行列はゼロから形成されるため、現在選択されている送信アンテナ１４のサブセットの影響を除去する必要はない。その代わりに、前記行列は、受信機１６がＣＱＩの報告を望む可能性のある全ての送信アンテナのサブセットについて直接形成され得る。この手法の利点は、本明細書において後述する部分パラメータ法（ｐａｒｔｉａｌｌｙ  ｐａｒａｍｅｔｒｉｃ  ａｐｐｒｏａｃｈ）において要求されるバイアス相関方法が必要とならないことである。一方、そのトレードオフは、他セル干渉の色（ｃｏｌｏｒ）を捕捉できないことである。ネットワーク１０の他の周囲の無線セルについて伝播チャネルの評価が利用できないため、障害相関を表現するために用いる障害共分散行列を構築する際には、他セル干渉を白色雑音としてモデル化することが実用的である。（“障害相関”という用語は、実際上は“障害共分散行列”という用語と交換可能であると考えてもよいが、本明細書で開示する方法は、共分散行列の利用に限定されるものではないことは理解されるべきであることに注意して欲しい。）
【００４４】
障害共分散行列の構築において、一般的に様々な成分（データ、パイロット、音声、及び他セル干渉）を適切に測定することが必要である。前述したようにデータ、パイロット、及び他の信号は全て様々なフェーディングチャネルをまたがるため、ＭＩＭＯ及びＭＩＳＯシステムについては分離した形での測定が必要である。このプロセスは、図５に示されているＳ−ＰＡＲＣ送信機の構成に合わせた、図６に示した連続干渉除去（ＳＩＣ：Ｓｕｃｃｅｓｓｉｖｅ  Ｉｎｔｅｒｆｅｒｅｎｃｅ  Ｃａｎｃｅｌｌａｔｉｏｎ）Ｇ−ＲＡＫＥ受信機の構造に関連して説明される。
【００４５】
図６は、受信機１６内に実装することができ、受信機１６の１つ以上のアンテナ１８を経由して受信される合成信号に含まれるマルチ符号化された受信データ信号について連続干渉除去を提供する、ＳＩＣ  Ｇ−ＲＡＫＥ受信機回路３８を、具体的に描いている。図示された受信機回路３８の実施形態には、複数の干渉除去段階４０−１〜４０−４（要求または要望に応じて異なる数の干渉除去部を実装してもよい）が含まれ、そのうち最終段階を除いて全ての段階（ｓｔａｇｅ）に逆拡散回路４２、信号検知回路４４、信号再生成回路４６、及び合計回路４８が含まれ、最終段階４０−４では要素４６及び４８が省略される。
【００４６】
１つ以上の実施形態において、受信機回路３８の第ｎ段階４０は、受信した合成信号に由来する当該段階の入力信号を受信する。前段階４０−（ｎ−１）から受け取る除去信号では、前段階によって検知された信号によって引き起こされた干渉が除去されており、当該段階への干渉が低減された入力信号の逆拡散値上で処理が行われる。
【００４７】
本明細書において開示されるチャネル品質評価との関係において、連続干渉除去の効果を反映するために、異なる段階４０において異なるチャネル品質評価が生成される。例えば、段階４０−ｎ内に含まれる信号検知回路４４は、段階４０−ｎに供給された入力信号の逆拡散値間の障害相関を計算する。これら障害相関は、総チャネル評価（ｎｅｔ  ｃｈａｎｎｅｌ  ｅｓｔｉｍａｔｅｓ）、即ち純応答ベクトルによって合成加重を形成するために用いられ、合成加重はさらに、当該段階への入力信号の逆拡散値の様々なストリームを合成するＲＡＫＥによる合成信号の形成に用いられる。別々のストリームは、別々に割当てられたＲＡＫＥ逆拡散器のフィンガによって（即ち、受信合成信号に関連して別々の時間に割当てられた相関器の数だけ）生成される。
【００４８】
合成逆拡散値、即ちＲＡＫＥ合成信号は、対象信号内で検知されるビットの評価に対応する軟判定値（ｓｏｆｔ  ｖａｌｕｅｓ）を得るために復調される。対象信号には、符号化ビットを含んでもよく、その場合には復号化ビットを得るために軟判定値を復号化してもよい。段階４０−ｎは、軟判定復調を行った値について直接硬判定をして硬判定ビットを取得し、または軟判定値から取得した復号化ビットを再度符号化することにより、軟判定値からビットを生成する。各段階には、ＲＡＫＥ合成信号の変調から得られる軟判定値から復号化ビットを取得するための復号化回路を含んでもよく、または集中復号化器を用いてもよい。復号化ビットを再符号化して符号化ビットを得ることは、信号の再生成及び除去処理のために必要とされ、追加的な処理を伴うものの、再符号化されたビットは、軟判定値の復号化中になされる誤り訂正の恩恵を受ける。それ自体、次の段階に向けて除去信号を生成するためにビットの再符号化を用いることは、軟判定値に対して直接硬判定ロジックを適用して得られる符号化ビットに由来する場合よりも頑強（ｒｏｂｕｓｔ）な除去信号を生じ得る結果となる。
【００４９】
図７に示された干渉除去段階４０の所与の１つについての詳細な例は、前述の装置及び方法のよりよい理解の助けとなる。（図示された内容は一般に全ての段階４０について同様となるが、一連の段階のうち最終段階については信号再生成回路４６等を除いて構成され得ることが理解されるべきである。）図示されているように、例示された信号検知回路４４は、合成回路５０、合成加重生成器５２、障害相関評価器５４、チャネル評価器５６、復調器５８、及び復号化器６０を含む。障害相関評価器５４及びチャネル評価器５６は、チャネル品質評価をここに開示した方法に従って行うために、段階４０間に分配され、または各段階４０の全て若しくは一部に冗長的に配置され得る前述の処理回路の部分を含んでもよい。
【００５０】
さらに干渉除去段階を詳細に検討すると、信号再生成回路４６は、ＳＩＣ  Ｇ−ＲＡＫＥ回路３８の次の段階４０に向けて除去信号を供給するために、硬判定処理器６２及び信号再生成器６４を含む。硬判定処理器６２の代わりとして、回路の検知部が復号化器を含む場合には、信号再生成回路４６が再符号化器６６を含んでもよい。当然ながら、図示された機能配置を必要に応じて変更することができることは理解されるべきである。例えば、復号化器６０は、再生成回路４６の中に位置してもよく、検知された信号に対応する復号化ビットを再符号化器６６への（及び必要と要望に応じてより上位の処理回路への）入力のために出力してもよい。
【００５１】
いずれにしろ、合成回路５０は、当該段階の入力信号を含む（またはそれに由来する）逆拡散値の様々なストリームを受信し、合成加重生成器５２によって生成される合成加重ベクトルに従って逆拡散値を合成することにより、ＲＡＫＥ合成信号を形成する。これら合成加重は、少なくとも部分的には当該段階への入力信号の逆拡散値間の障害相関と、対象信号に関連付けられた総チャネル応答とから計算され、総チャネル応答とは即ち、送信機／受信機のフィルタパルス波形及び伝播効果を含む終端間チャネルに相当する。
【００５２】
ここで示されているように段階ごとに実装し、または受信機１６内の他の場所に実装してもよいチャネル評価器５６が、必要となるチャネル評価を提供する一方、障害相関評価器５４は、必要となる障害相関評価を生成する。より具体的には、障害相関評価器５４は、図４に概略を示した広義の方法に従って対応する段階４０−ｎについて障害相関を計算し得る。換言すれば、各段階で計算される障害相関及び合成加重、並びにチャネル品質評価は各段階に特有のものであって、一連の段階４０において連続的に減算されていく干渉レベルを反映している。
【００５３】
当然ながら、障害相関評価器５４の機能を、受信機１６がスケジューリングされていない間の障害相関評価を支援するために実装してもよい。そうした時間の間、受信機１６は一般的に復調／復号化を実行せず、チャネル品質の報告を行う。即ち、スケジューリングされていない間、受信機１６は、一般的にはＳＩＣに基づく復調／復号化処理を実行しているのではなく、ＣＱＩの報告目的のために障害相関評価を引き続き行っているのである。
【００５４】
図６及び図７のＳＩＣ  Ｇ−ＲＡＫＥの詳細に戻ると、チャネル品質評価に内在している信号対干渉比（ＳＩＮＲ）の定式化は、データ―パイロット信号送信電力比βｄｓ／ｐｓを、送信機１２においてデータチャネル信号に割当てられた送信電力の総量と送信機１２において全てのパイロット信号に割当てられた送信電力の総量との比として定義することから始まる。同様に、他信号―パイロット信号送信電力比βｏｓ／ｐｓは、送信機１２において他の全ての信号（音声、制御、オーバーヘッド等）に割当てられた送信電力の総量と全てのパイロットに割当てられた送信電力の総量との比である。
【００５５】
次に、チャネル品質評価において考慮されるべき様々な送信電力分配を定義する。まず、データ信号、他信号、及びパイロット信号の送信アンテナ１４にわたる分配を、長さＭのベクトルａｄｓ，ａｏｓ及びａｐｓによって表し、ｍ番目の要素をそれぞれａｄｓ（ｍ），ａｏｓ（ｍ）及びａｐｓ（ｍ）とする。例えば、送信アンテナ１４がＭ＝４個あり、データ信号が送信機１２のアンテナ２及び４から送信されるとする。さらに、全ての他信号はアンテナ１から送信され、またアンテナ１と２について５％ずつ、アンテナ３と４について２．５％ずつの合計１５％の送信電力がパイロット信号に割当てられるとする。この場合、ａｄｓ＝［０  １／２  ０  １／２］であり、ここで１／２の因子は、データ信号の電力が現在選択されている２つの送信アンテナ１４に均等に分割されるという事実を意味している。さらに、ａｏｓ＝［１  ０  ０  ０］、ａｐｓ＝［１／３  １／３  １／６  １／６］となる。定義により、各電力分配ベクトルの要素の合計は１となる。
【００５６】
ここで、ＳＩＣ  Ｇ−ＲＡＫＥ受信機回路３８の第ｎ段階に関するρ（ｎ）として表されるＳＩＮＲを記述することができる。この値は、チャネル品質フィードバックの支援を受けて受信機１６が評価を試行する真のＳＩＮＲを表す。第ｎ段階は、送信アンテナ１４のうちｍｎというインデックスを持つ特定の１つに関連付けられる。例えば、送信アンテナ２及び４がデータ送信用に選択されたとすると、ＳＩＣ  Ｇ−ＲＡＫＥ受信機回路３８には２つの段階が存在する。順序としてアンテナ２のデータストリームが最初に、アンテナ４のデータストリーム２番目に復号化されるとすると、第１段階のアンテナインデックスはｍ１＝２、第２段階はｍ２＝４となる。この表現により、送信機１２における任意のアンテナ選択についての符号別、チップ別ＳＩＮＲは、
【００５７】
【数５】
2008546349.tif 000007
で与えられる。ここで、式（３）と同様にＫは（アクティブアンテナ間で再使用される）データチャネルに割当てられたマルチ符号の数、Ｎｐはパイロットチャネルに用いられる拡散要素であって、例えばＷＣＤＭＡ標準ではＮｐ＝２５６である。一方、ｈ％ｍｎはＳＩＣ  Ｇ−ＲＡＫＥ受信機回路３８の第ｎ段階についてのｍ番目の送信アンテナに対応する純応答ベクトル、Ｒ〜（ｎ）（注：原文ではＲの上に記号〜）は第ｎ段階に対応する障害共分散行列である。ｈ％ｍｎとＲ〜（ｎ）のチルダの表現は、（純応答と障害共分散とが依存する）チャネルのタップ利得がシンボル単位のパイロットエネルギーによって較正される事実を強調するために用いられる。本実施形態において、この較正を暗黙的に含む逆拡散パイロットシンボルから得られるチャネル評価をパラメータとして用いて純応答及び障害共分散が形成されるため、純応答及び障害共分散は前記のように表現される。
【００５８】
より詳細には、第ｎ段階の障害共分散行列は、次式で与えられる：
【００５９】
【数６】
2008546349.tif 000008
ここで、Ｒ％ｄｓ（ｎ）はデータチャネルによる干渉を表し、Ｒ％ｏｓは他信号による干渉を表し、及びＲ％ｏｃは他セル干渉と雑音の合成を表している。他セル干渉が白色雑音に近似できる場合は、前述したとおり、Ｒ％ｏｃはＲ％ｏｃ＝ＮｏＲｐｕｌｓｅによって与えられる対角行列となる。
【００６０】
障害共分散行列は、データ信号及び他信号が送信機１２と受信機１６との間の様々なフェーディングチャネルにまたがり、ＳＩＣがデータ信号のみに適用されてＲ％ｄｓ（ｎ）がある段階のインデックスの関数となるという事実を反映して、複数の項に分割される。式（６）内の表現は、暗黙的にＳＩＣ  Ｇ−ＲＡＫＥ受信機回路３８においてパイロット信号の減算が行われることを前提としており、よってパイロット信号による干渉の項が存在していない。パイロット障害共分散行列の形式でのパイロット相関Ｒ％ｐｓを必要に応じて含めることもできる。
【００６１】
障害共分散行列の他信号部分は、次式で与えられる：
【００６２】
【数７】
2008546349.tif 000009
ここで、後述する式（９）にて定義されるＲ％ｍは、シンボル間干渉（ＩＳＩ：Ｉｎｔｅｒ−Ｓｙｍｂｏｌ  Ｉｎｔｅｒｆｅｒｅｎｃｅ）及びｍ番目の送信アンテナからの多元接続干渉（ＭＡＩ：Ｍｕｌｔｉｐｌｅ  Ａｃｃｅｓｓ  Ｉｎｔｅｒｆｅｒｅｎｃｅ）による干渉を表している。ＳＩＣにおいて考慮される障害共分散行列のデータ信号部分は、次式で与えられる：
【００６３】
【数８】
2008546349.tif 000010
ここでＡ（ｎ）はデータ干渉が既に除去された第ｎ段階における有効な送信アンテナのサブセットを表している。この式における１つ目の項は、未だ除去されていない符号の再利用による干渉を表し、データチャネルに使用される拡散因子、即ちＨＳＤＰＡについてはＮｓ＝１６によって較正される。２つ目の項は、未だ除去されていないＩＳＩ／送信アンテナからのＭＡＩによるものである。ＩＳＩ／ＭＡＩの行列Ｒ％ｍの要素は、次式で与えられる：
【００６４】
【数９】
2008546349.tif 000011
【００６５】
目指すところは、受信機１６により、ＳＩＣ  Ｇ−ＲＡＫＥ受信機回路３８の１つ以上の段階４０ごとに、また１つ以上の異なる送信アンテナ選択ごとに、即ち１つ以上の所望の送信アンテナ１４のサブセットごとに、ＳＩＮＲ  ρ（ｎ）の量子化版をまず評価し、そして報告することである。よって、この評価の重要な部分は、受信機１６がＳＩＮＲを、自身がチャネル品質評価を報告する送信アンテナ１４の各サブセットからサービスを受けていたかのように評価することである。報告されたチャネル品質評価は、送信機１２によって利用者（即ち、受信機１６、及び送信機１２から送信されるＨＳＤＰＡ信号上でサービスを受ける他の受信機）のスケジューリングに使用される。よって、受信機１６からのＳＩＮＲの評価は、必要以上に現時点の送信機１２におけるアンテナ選択の影響を受けるべきではない。つまり、受信機１６のための最適な送信アンテナ選択は、恐らくは他の利用者へのサービスに用いられている現時点の送信アンテナ選択ではない。
【００６６】
この点を念頭におき、データ信号送信アンテナ電力分配ａｄｓがアンテナ選択の関数であったことを思い起こして欲しい。受信機１６が１つ以上の所望のアンテナ選択についてのＳＩＮＲを報告することから、ａｄｓに関する知識は存在し、送信機１２におけるデータ信号への所与の合計電力割当て量について選択された送信アンテナをまたがって均一に電力が分配されるように構成され得る。即ち、データ信号を送信するための送信電力の合計としてどのような送信電力が用いられるとしても、考慮の対象となる送信アンテナ４０のどういったサブセット間でもそうした電力の分割は均等に行われる。
【００６７】
この手法により、受信機１６は、現時点の送信アンテナ選択の影響を回避し、障害共分散行列Ｒ〜（ｎ）及び純応答ベクトルｈ％ｍをパラメータ化して形成し、ＳＩＮＲ  ρ（ｎ）を式（５）によって直接計算する。このチャネル品質評価は、受信機１６がＳＩＮＲを報告しようとする１つ以上の送信アンテナ選択ａｄｓについて行われる。例えば、受信機１６は、様々なアンテナ選択についてＳＩＮＲを計算し、その中の最良のものについて報告することを選択してもよい。“最良”とは、ＳＩＮＲ自体、または例えばデータ転送速度などのＳＩＮＲの関数を最大化させるアンテナ選択を意味し得る。当然ながら、ＳＩＮＲの報告と並行して、受信機１６は、一般的にはＳＩＮＲに対応するアンテナ選択をフィードバックし、次回スケジューリングされたときに受信機１６にデータ信号を送信するための適切な送信アンテナ１４のサブセットを送信機１２が選択できるようにしなければならない。
【００６８】
チャネル品質評価の第１のステップは、受信機１６がチャネルタップ遅延τｌｍｐを評価することであり、これを従来の経路探索技術によって行ってもよい。次のステップは、較正されたチャネルタップ利得ｇ％ｌｍｐを、各送信アンテナからのパイロットチャネルを逆拡散し、パイロットシンボルパターンの知識を用いることで評価することである。逆拡散パイロット値は常にパイロットシンボルエネルギーによって較正されるため、評価されたチャネルタップ利得は暗黙のうちに較正され、式（１）及び式（６）における純応答及び障害共分散行列についてのパラメータ形式での計算が補完される。
【００６９】
こうして計算されたタップ利得及び遅延の評価により、式（１）における純応答ベクトルｈｍを（τｑの）フィンガ位置の所与の組合せについて直接的に計算することができる。障害共分散行列のＩＳＩ／ＭＡＩの部分、即ち式（９）におけるＲ％ｍもまた、選択されたフィンガ位置について直接的に計算することができる。
【００７０】
受信機１６においてチャネル品質評価を計算するために、即ちρ（ｎ）の値を計算するために必要な残るパラメータは、次の通りである：
−  データ―パイロット信号送信電力比βｄｓ／ｐｓ及びマルチ符号数Ｋ；
−  他信号―パイロット信号送信電力比βｏｓ／ｐｓ及び他信号電力分配ａｏｓ；
−  パイロット信号送信アンテナ電力分配ａｐｓ；
−  他セル干渉障害相関ＲＯＣ；
【００７１】
上記一覧の第１項目に関し、少なくとも１つの実施形態において、受信機１６はβｄｓ／ｐｓ及びＫについて事前に合意した、または名目上の値を使用する。ＳＩＮＲ  ρ（ｎ）はこれら両方のパラメータと共に線形的に変化するため、送信機１２は、受信機１６から報告されたＳＩＮＲを、そこで用いられている実際の値によりスケジューリングの時点で較正してもよい。
【００７２】
他の実施形態において、送信機は転送リンク内の実データ―パイロット信号送信電力比βｄｓ／ｐｓについての信号をシグナリングし、受信機１６はそうした信号情報を受信するように構成される。データ―パイロット信号送信電力比が選択された信号遅延を超えて大きく変化しない限り、即ちシグナリングにより更新される値の範囲において、この手法は良好な精度を生み出す。当然ながら、符号数Ｋもまたシグナリングされる値であってもよい。
【００７３】
ＷＣＤＭＡ標準には、既にデータ―パイロット信号送信電力比のシグナリングの提供が含まれているが、通常それは頻繁にはシグナリングされない。より高い頻度でデータ―パイロット信号送信電力比をシグナリングする１つの理由は、後述するように、受信機１６における他信号―パイロット信号送信電力比βｏｓ／ｐｓの評価を単純化することである。送信機から受信機へのシグナリングの提供を前提とすると、受信機１２は以下の計算においてβｄｓ／ｐｓの実際の値の知識を有することを想定し得る。
【００７４】
上記一覧の第２項目に関し、送信機１２は受信機１６へ転送リンク信号を送信し、その転送リンク信号には他信号―パイロット信号送信電力比βｏｓ／ｐｓが含まれ、さらに受信機１６はそうした値を送信機からのシグナリングを介して受信するよう構成されるということを想定できる。そうしたシグナリングは、送信機１２からの転送リンク信号の増加という犠牲のもとで受信機１６におけるチャネル品質評価を単純化する。
【００７５】
別の実施形態において、送信機１２は他信号―パイロット信号送信電力比βｏｓ／ｐｓをシグナリングせず、受信機１６は、当該比率を評価するよう構成される。そうした評価の支援を受けて、送信機１２が受信機１６へ他信号送信アンテナ電力分配ａｏｓをシグナリングするよう構成することができる。分配は通常、頻繁には、あるいは全く変更されないため、低い頻度で、または例えば通信設定時などの１度だけ分配をシグナリングしてもよい。例えば、送信機１２は、全ての他信号の電力を常に送信アンテナ１４のアンテナ１から送信するように構成され、その場合には、ｍ＝１についてはａｏｓ（ｍ）＝１、それ以外はゼロとなる。よって、以下の計算は、受信機１６が、他信号送信アンテナ電力分配を、既定値を仮定し、または送信機１２からのシグナリングを介して受信することで知っていることを前提とする。
【００７６】
上記一覧の第３項目に関しては、パイロット信号送信アンテナ電力分配ａｐｓもまた受信機１６にとって既知であることを前提としている。この値は典型的には時間によって変化せず、通信設定時に送信機１２から受信機１６へ分配を一度だけシグナリングしてもよい。その代わりに、ａｐｓを既定値として仮定し、または極めて長い時間の平均をとって評価することもできる。
【００７７】
上記一覧の第４項目に関しては、現在議論している受信機の実施形態は、他セル干渉が白色雑音に近似されることを前提として構成されている。よって、他セル障害相関は、Ｒｏｃ＝ＮｏＲｐｕｌｓｅとして表され、ここでＮｏは雑音及び他セル干渉のパワースペクトル密度である。Ｎｏは、一般的には未知であり、受信機１６は、障害相関計算及びチャネル品質評価の支援を受けてそれを評価するように構成される。受信機１６には雑音評価方法をいくつ実装してもよいが、本明細書では、２つの有利な方法として、最大尤度（ＭＬ：Ｍａｘｉｍｕｍ  Ｌｉｋｅｌｉｈｏｏｄ）の手法に基づくもの、及び最大固有ベクトルの手法に基づくものについて後述する。
【００７８】
前述の評価、既定値の仮定、及び／またはシグナリングを念頭に置くと、少なくとも１つの実施形態において、受信機１６は、Ｎｏ及びβｏｓ／ｐｓを除きチャネル品質評価について必要となる全てを有することとなる。
【００７９】
受信機１６は、第１のステップとして、逆拡散の前に受信した（合成）信号のチップサンプルに基づいて共分散行列を評価することにより、βｏｓ／ｐｓを評価するよう構成し得る。この共分散行列はＲｒとして表すことができる。チップサンプル共分散行列は、障害共分散行列Ｒ％（ｎ）と同じ次元を持つ。さらに、Ｒｒの計算において用いられる受信信号の遅延は、Ｒ％（ｎ）の評価に用いられるものと同一である。評価は、例えばＷ−ＣＤＭＡの１つの伝送時間間隔（ＴＴＩ：Ｔｒａｎｓｐｏｒｔ  Ｔｉｍｅ  Ｉｎｔｅｒｖａｌ）といった所与の時間窓の中で多くの位置に関する遅延したチップサンプルのベクトルｒ（ｉ）の外積を平均することで簡単に得られ、即ち、
【００８０】
【数１０】
2008546349.tif 000012
となる。１つのＴＴＩの中には多数のチップサンプルが存在するため、Ｒｒについて極めて良好な評価を得ることができる。受信機１６の他の実施形態として、例えば移動窓（ｓｌｉｄｉｎｇ  ｗｉｎｄｏｗ）、指数加重平均（ｅｘｐｏｎｅｎｔｉａｌ  ｗｅｉｇｈｔｅｄ  ａｖｅｒａｇｅ）などの平均を得る他の手法を用いてもよい。
【００８１】
いずれにしろ、チップサンプル共分散行列の真の値は次式で与えられる：
【００８２】
【数１１】
2008546349.tif 000013
ここでαＴ／Ｐ（ｍ）はトラヒック―パイロット信号比と呼ばれ、ｍ番目のアンテナ上のパイロット信号電力に対するｍ番目のアンテナ上のデータ信号、他信号、及びパイロット信号電力の合計の比として定義される。行列Ｒ％ｍは、式（９）内で定義されたＲｍと同じ形式を有する。唯一の違いは、式（９）内の内積において、ｋ＝０の項が実行されないことである。この違いは、逆拡散の前に符号の直交性という概念が存在しないためである。
【００８３】
受信機１６は、式（１１）内のチップサンプル共分散行列を等価形式の次式で表すことに基づいて、他信号―パイロット信号送信電力比βｏｓ／ｐｓを評価するよう構成し得る：
【００８４】
【数１２】
2008546349.tif 000014
【００８５】
上記定式化において、Ｒｒは評価されるべき他信号―パイロット信号送信電力比βｏｓ／ｐｓの関数である。受信機１６がチップサンプル共分散行列を評価する際、その結果はａ‐ｄｓ（注：原文ではａの上に記号−）で表される現時点のデータ信号送信アンテナ電力分配の関数となり、それは必ずしも受信機１６がＳＩＮＲの報告を望む送信アンテナ選択に対応するものと等しくはない。結果として、βｏｓ／ｐｓの評価の目的のためには、ａ‐ｄｓは未知として扱われ、よって評価される。
【００８６】
評価のために、他セル干渉を白色雑音、即ちＲｏｃ＝ＮｏＲｐｕｌｓｅとしてモデル化して受信機１６を構成することができる。厳密には雑音レベルＮｏも一般的に未知であるが、受信機１６は、雑音レベルを既知として扱うことで、過度に大きい探索空間を回避することができる。雑音レベルの初期評価は、後続の２つの節にて説明される２つの独立した手法のいずれかを用いて取得することができる。精緻化された雑音レベルの評価値は、Ｎｏの初期評価を用いてβｏｓ／ｐｓ及びａ‐ｄｓのＭＬ評価を最初に形成するやり方を繰返すことによって取得することができる。その際には、これら２つのパラメータを既知の値として扱い、このときＮｏを未知として扱うことを除き、前記ＭＬ評価が繰り返される。この繰返し処理は、受信機１６によってβｏｓ／ｐｓ及びａ‐ｄｓの両方の評価値が望むとおりに精緻化される回数だけ繰り返され得る。
【００８７】
ＭＬ法を用いて他信号―パイロット信号送信電力比を評価するために、受信機１６は、（最大化される）対数尤度比を次のように定義し得る：
【００８８】
【数１３】
2008546349.tif 000015
ここで、
【００８９】
【数１４】
2008546349.tif 000016
はＴＴＩ内の異なる位置の遅延したチップサンプルのＮ個のベクトルの連結である。前記処理は、ｒ（ｉ）が共分散行列Ｒｒに伴うゼロ平均複素ガウス確率ベクトルであることを前提としている。さらなる前提として、ｒ（ｉ）の値は、次式を満たすように十分に間隔を空けられる。
【００９０】
【数１５】
2008546349.tif 000017
これら前提の下、前記対数尤度比は次式で与えられる：
【００９１】
【数１６】
2008546349.tif 000018
ここで、ｔｒ［Ａ］は行列のトレースである。ｌｏｇ（Ａ）は行列の対数であり、Ａの要素の対数ではない。この数式において、Ｒ％ｍについてパラメータ形式でのチャネル評価を用いて、Ｒｒは式（５）により計算される。サンプル共分散行列Ｒ＾ｒは、式（１０）によって評価される。
【００９２】
対数尤度比を最大化するために、
【００９３】
【数１７】
2008546349.tif 000019
は、
【００９４】
【数１８】
2008546349.tif 000020
の仮定（ｈｙｐｏｔｈｅｓｉｓ）の取り得るすべての値について計算されなければならない。電力分配ベクトルａ‐ｄｓは離散値であり、正確には２Ｍ個の有限個の値のみをとる。他の仮定βｏｓ／ｐｓは連続数であり、そのため有限個の値に限定するために量子化され得る。より細かい量子化は大きな探索空間を要求し、複雑さと精度の間のトレードオフを示すことになる。望まれる最大化の結果は最もβｏｓ／ｐｓに近い値だが、前記処理においては現在のアンテナ選択ａ‐ｄｓもまた取得される。既に述べたように、これはチャネル品質の報告（例えばＳＩＮＲの報告）には必須のものではなく、その理由は、受信機１６は一般的に自身が選択したアンテナ選択ａｄｓに基づいて障害共分散行列を形成するためである。
【００９５】
転送リンク信号からデータ―パイロット信号送信電力比βｄｓ／ｐｓを知ることは、βｏｓ／ｐｓのＭＬ評価の複雑さを低減させる。それは、データ―パイロット信号送信電力比が未知であれば仮定がより高い次元を持つことになり、探索空間がより大きくなるためである。概念的にはこれは問題ではなく、受信機１６はそれを既知でない値として、前述の定式を用いてβｄｓ／ｐｓを評価することができる。
【００９６】
以上より、受信機の課題として残ったのは、雑音レベルＮｏの有効な評価の作成である。多くの手法を用いることができるが、ここで開示される方法には、要求される雑音評価について有利な２つの手法を含む。いずれの手法も評価されたチップサンプル共分散行列Ｒ＾ｒに基づいている。第１の手法は、式（１１）内のチップサンプル共分散行列の形式を用いた最小二乗（ＬＳ：Ｌｅａｓｔ  Ｓｑｕａｒｅ）解決法である。この手法において、受信機１６は、左辺のＲｒをその評価値Ｒ＾ｒに置き換え、他セル干渉をＲ％ｏｃ＝ＮｏＲｐｕｌｓｅのように白色雑音にモデル化する。さらに、右辺のＲ％ｍは、式（９）内のこの行列のパラメータ形式でのチャネル評価を用いて計算される。
【００９７】
結果は、Ｍ＋１個、即ちＭ個のトラヒック―パイロット信号比αＴ／Ｐ（ｍ）と雑音レベルＮｏのみが未知である多数の等式の系となる。この系はＡｘ＝Ｂとして表現することができ、ここで
【００９８】
【数１９】
2008546349.tif 000021
が未知のベクトルとなる。ベクトルｂのｎ番目の要素は、行列Ｒ＾ｒの（ｐ，ｑ）番目の要素として与えられ、行列Ａのｎ番目の行は次式で与えられる：
【００９９】
【数２０】
2008546349.tif 000022
ここでＲ％ｍ（ｐ，ｑ）はＲ％ｍの（ｐ，ｑ）番目の要素であり、δ（・）はデルタ関数である。この等式系のＬＳ解は、
【０１００】
【数２１】
2008546349.tif 000023
となる。
【０１０１】
Ａ及びＢを形成するための行列の要素の選択においては、大幅な自由度がある。要素の最少の数は、等式系に解が存在することを保証するＭ＋１個である。しかしながら、大幅に増加された数を用いることで、より良好に雑音が平均化される。一例としては、各Ｒ％ｍの最初の数個の対角成分に対応する要素を選択することができる。Ｒ％ｍはエルミート行列であるため、主対角成分及び上方の対角成分のみが、有効な等式を提供する。
【０１０２】
ＬＳ法を用いた雑音レベルの評価では評価にバイアスがかかる傾向があり、そのバイアスは特に高いＳＮＲ（Ｓｉｇｎａｌ−ｔｏ−Ｎｏｉｓｅ  Ｒａｔｉｏ）において明白となる。その場合、雑音レベルのトラヒック―パイロット信号比に対する関連は小さくなり、Ｎｏの評価においてＲ％ｍを計算するために用いられる不完全なチャネル評価により比較的多くの量の雑音が吸収される。結果は、ＳＮＲの増加関数である正のバイアス（雑音レベルを過大評価している）となる。バイアス関数は、チャネル評価エラーの分散、及びチャネル自体の形態に依存する。所与の環境についてバイアスの統計が既知であれば、受信機１６は、バイアスを低減する訂正因子を評価に適用することで、雑音レベル評価を改善することができる。例えば、訂正因子を確率バイアスの何らかの百分率とすることができる。ＣＱＩ報告の観点からは、百分率を雑音レベルがそれでもわずかに過大評価されるような値とし、受信機１６によって報告される最終的なＳＩＮＲ評価がわずかに過小評価されるようにすることがより適切である。このようにすると、送信機１２におけるリンク適合処理が最終的に過度に積極的にならず、送信機１２から受信機１６への再送過多が回避される。
【０１０３】
受信機１６の中に実装し得る第２の手法では、雑音評価をチップサンプル共分散行列Ｒｒの評価の固有値の計算に基づいて行う。Ｒｒの次元がＭよりも相当に大きい限りにおいては、最大の固有値は信号成分に対応し、最小の固有値は雑音成分に対応する。その結果、雑音レベルの評価は単純に、評価されたチップサンプル雑音共分散行列Ｒ＾ｒの最大の固有値となる。その代わりに、評価は、いくつかの場合において、多くの最小の固有値を平均化することで改善され得る。
【０１０４】
チャネル品質評価の部分パラメータ法においては、ここまで説明してきた、自己セル及び他セル干渉についてパラメータ形式が障害相関の形成に用いられる完全パラメータ法とは反対に、データ信号干渉から起こる障害相関の一部のみがパラメータ形式で表現される。同じセル内の他信号及び他セル信号のこれらの部分は、障害相関評価の中で測定値が用いられるという意味において、パラメータではない。
【０１０５】
この部分パラメータ法において、逆拡散の前にまず受信したチップサンプルの共分散行列が評価される。その代わりに、逆拡散パイロットシンボルを用いて障害共分散行列を評価してもよい。しかしながら、前者の方が雑音の影響は少なく、それは評価の形成に用いるパイロットシンボルよりも１つのＴＴＩ内のチップサンプルの数の方が多いためである。どちらの場合も、データチャネルによる共分散行列の一部は現在選択している送信アンテナのサブセットによる影響を受けるため、その部分は、他信号、パイロット信号、及び他セル干渉のみによる障害を残して除去される。受信機１６においてパイロット信号の減算が用いられる場合には、パイロット信号による障害もまた除去され得る。結果としての障害共分散行列は、受信機１６が報告を望む対象となり得る送信アンテナの各サブセットによる部分を再度組み入れることにより、増補（ａｕｇｍｅｎｔ）される。
【０１０６】
データチャネルのために受信機１６によりＳＩＣが用いられると仮定すると、増補はＳＩＣ  Ｇ−ＲＡＫＥ受信機回路３８の各段階４０で異なる取り扱いをされる。チャネル係数及び遅延評価を用いて計算することのできる障害共分散行列のパラメータ形式の利用は、そうした増補を可能にする。一度増補された障害共分散行列が形成されると、ＳＩＣ  Ｇ−ＲＡＫＥ受信機回路３８の各段階４０についてＳＩＮＲが計算される。
【０１０７】
この手法の１つの利点は、それにより他セル干渉の色（ｃｏｌｏｒ）が暗黙のうちに捕捉されることである。これは、ＳＩＣ  Ｇ−ＲＡＫＥ受信機回路３８がその色を利用して他セル干渉を部分的に抑制することができるため、干渉除去の観点から望ましい。さらに、現時点の送信アンテナ選択による障害相関成分の除去が、過度の減算を回避するように意図的にバイアスをかけられるべきであって、それによりいくつかの場合に負値定符号の障害共分散行列を導き得ることにも着目すべきである。
【０１０８】
より詳細には、受信機１６は、チップサンプル共分散行列Ｒｒの評価から、現時点でスケジューリングされている受信機用に有効化されている送信アンテナ４０の影響を除去する。そして、受信機１６は、自身がＳＩＮＲの報告を望む送信アンテナ選択による成分を再度組み入れることで、結果を増補する。
【０１０９】
この手法をよりよく理解するには、等式（１２）に含まれるＲｒの形式の検討から始めることができる。この等式は行列Ｒ％ｍの関数であることに注目して欲しい。対照的に、Ｒ％ｍの観点でＳＩＮＲを計算するために必要であった等式６における障害共分散行列は、直交拡散符号（等式９参照）の利用による“ｋ＝０”の項を含んでいない。一方、等式１２は、Ｒ％ｍの観点から、“ｋ＝０”の項を抽出することで次式で再度書き表すことができる：
【０１１０】
【数２２】
2008546349.tif 000024
現在のアンテナ選択（及びパイロット）の影響を除去するために、受信機１６は次の減算を実行するよう構成することができる：
【０１１１】
【数２３】
2008546349.tif 000025
ここで式（２０）において考慮すべき音声及び“他”信号がない場合には、βｏｓ／ｐｓの項は存在せず、前記等式はＲＯＣの項のみに縮減されることに注意すべきである。
【０１１２】
実際上、全てのパラメータが既知であるため、等式（１９）を用いて受信機１６によってＲＯＳ，ＯＣを評価することができる。特にデータ―パイロット信号送信電力比ＲＯＳ，ＯＣは、転送リンク信号を通して知ることができ；現在のアンテナ選択ａ‐ｄｓは前述のＭＬ法を用いて評価でき；そしてトラヒック―パイロット比αＴ／Ｐ（ｍ）は前述のＬＳ法を用いて評価できる。
【０１１３】
等式（２０）内の理想的なＲＯＳ，ＯＣの表現を等式（６）と比較すると、要求される障害共分散行列を形成―及びＳＩＮＲをそれにより評価―するためには、受信機１６は等式（８）に定義されたＲ％ｄｓを等式（１９）を通して得られたＲＯＳ，ＯＣの評価に加算することのみが必要であることが理解される。この手法は、Ｒ％ｓ（ｎ）についてのパラメータ形式、及び等式（１９）内の減算された項が障害共分散行列の構築に用いられるという意味において部分的にパラメータ化されているが、他信号及び他セル干渉成分ＲＯＳ，ＯＣについて非パラメータ形式が用いられる。完全パラメータ法において他セル干渉が白色雑音としてモデル化されたのとは対照的に、この技術の１つの利点は、ＲＯＳ，ＯＣの非パラメータ形式により、他セル干渉におけるどういった潜在的な色も捕捉できることである。雑音の色を捕捉することは、受信機１６が雑音の色の知識を利用して部分的に他セル干渉を抑制するよう構成できることから、干渉除去の観点から望ましい。例えば、ＳＩＣ  Ｇ−ＲＡＫＥ回路３８は、自身の干渉抑制において雑音の配色の知識をＲＡＫＥ合成加重の生成に組み込むことにより雑音の配色を利用するという受信機の構造の１つの形態である。
【０１１４】
この部分パラメータ法について述べるべき１つの点は、トラヒック―パイロット比αＴ／Ｐ（ｍ）における評価エラーが等式（１９）内のｈ％ｍｈ％＋ｍの項の過剰な減算を導き得る点であり、これにより、特にこの項を１未満の値によって較正することで、ＲＯＳ，ＯＣの評価をいくつかの場合において負値定符号とさせることができる。よって、前記値は、ＲＯＳ，ＯＣが正値定符号となるように十分小さく、しかしＳＩＮＲの評価において過剰なエラーが生じないように小さ過ぎないことが求められる。
【０１１５】
少なくともこれらのうちいくつか及び他の詳細がＳＩＣ  Ｇ−ＲＡＫＥ構造との関連で提起されている一方、いわゆる当業者であれば、ここで開示されたチャネル品質評価を様々な受信機の構造に適用できることを理解するであろう。例えば、図８は、受信機１６内に実装し得るＧ−ＲＡＫＥに基づく受信機回路７０を描いている。より具体的には、図示された回路７０は、異なる種類の受信機を支援するよう構成され得る。例えば、ＭＭＳＥに基づくＲＡＫＥ処理、または結合検知ＲＡＫＥ処理が支援され得る。ＭＭＳＥについては、前述したように、受信機１６は、同一のシンボル時間の間に送信された符号シンボルを個別の基準で検知し、一方他の全ての符号シンボルを（有色）雑音として扱うよう構成される。また、結合検知については、受信機１６は、同一のシンボル時間の間に送信された同一符号の符号シンボルを結合検知基準で検知し、一方他の全ての符号シンボルを雑音として扱うよう構成される。
【０１１６】
図示された実施形態において、回路７０は、１つ以上の合成受信信号ｒ１（ｔ）〜ｒＬ（ｔ）（Ｌは受信アンテナ数）から逆拡散値を生成するための多数の相関器バンク（ｃｏｒｒｅｌａｔｏｒ  ｂａｎｋ）７２−１〜７２−ｎと、相関器バンク７２からの逆拡散値をＲＡＫＥ合成し、ここで開示したようなチャネル品質評価を可能にする１つ以上の処理回路２０を含み又はそれらに関連付けられたＧ−ＲＡＫＥ合成器７４と、Ｇ−ＲＡＫＥ合成器７４から出力されるＲＡＫＥ合成値から軟判定値を生成する軟判定値生成器７６と、軟判定値生成器７６から出力される軟判定値から硬判定値を生み出す復号化器７８とを備える。
【０１１７】
全てのアンテナ１４から送信されるデータ信号を想定すると、相関器バンク７２から出力される逆拡散ベクトルは次式のように表すことができる：
【０１１８】
【数２４】
2008546349.tif 000026
ここで、ベクトルｃｋ（ｉ）＝［ｃ１ｋ（ｉ），ｃ２ｋ（ｉ），．．．,ｃＭｋ（ｉ）］Ｔは、送信機１２から送信されているデータチャネル信号上で用いられている同一のマルチ符号を共有するｉ番目のシンボル期間中のＭ個のシンボルを含む。Ｑ行Ｍ列の利得行列Ｈ＝［ｈ１,ｈ２,．．．,ｈＭ］はＭＩＭＯ（またはＭＩＳＯ）チャネルを完全に表し、ここで各利得ベクトルｈｍは、ｍ番目の送信アンテナと（マルチアンテナの可能性のある）受信機１６との間のチャネルを表す。ベクトルｘｋ（ｉ）は、ＩＳＩ、ＭＡＩ、及び雑音からなる障害処理を表している。実際上、ＭＡＩもまた他信号チャネル（音声、制御等）、及びパイロットを含んでいる。ＲＡＫＥフィンガをまたがって障害相関を捕捉する障害共分散行列は、次式で表される：
【０１１９】
【数２５】
2008546349.tif 000027
【０１２０】
Ｇ−ＲＡＫＥ合成器７４から出力されるＭ次元の決定統計量ｚｋ（ｉ）は、次式のように逆拡散ベクトルを加重して生成される：
【０１２１】
【数２６】
2008546349.tif 000028
結合検知（ＪＤ：Ｊｏｉｎｔ  Ｄｅｔｅｃｔｉｏｎ）の実装のために、Ｇ−ＲＡＫＥ重み行列は、次式で与えられる：
【０１２２】
【数２７】
2008546349.tif 000029
次の行列は、ＭＬＳＥ型の受信機内のｓパラメータに類似している：
【０１２３】
【数２８】
2008546349.tif 000030
ＭＭＳＥの実装のために、重み行列は次式で表現される：
【０１２４】
【数２９】
2008546349.tif 000031
ここで、後者の等号において、障害共分散行列を次のように再定義してもよい：
【０１２５】
【数３０】
2008546349.tif 000032
【０１２６】
シンボルｃｍｋ（ｉ）のＭＭＳＥ評価に対応する重みベクトルはＷＭＭＳＥ，ｍと表され、これは単純にＷＭＭＳＥのｍ番目の列である。このシンボルが関係している限りにおいて、同一の符号を共有する信号による追加的な項をＲＸ，ｍ内に伴う共分散行列ＲＸ，ｍによって障害は“理解”される。回路７０のＪＤ  Ｇ−ＲＡＫＥの実装と対照的に、回路７０のＭＭＳＥ  Ｇ−ＲＡＫＥの実装は、３つの信号を、結合的に検知するのではなく、寧ろ抑制されるべき干渉として扱う。
【０１２７】
ＪＤとＭＭＳＥの両方の実装において、障害共分散行列Ｒｘは、送信電力比、送信電力分配、及び異なるフェーディング経路を考慮して計算し得る。そのようにして、受信機１６のＪＤ及びＭＭＳＥの実装において用いられる障害共分散行列は、ここで開示したチャネル品質評価のための有利な基盤を提供する。
【０１２８】
さらなる変化例として、受信機１６を、送信アンテナ選択を用いない送信システムとの関連において運用してもよい。そうした場合には、未来の時点でスケジューリングされる送信アンテナ選択は報告の時点と同一となるため、ＳＩＮＲの評価の際に現時点の送信アンテナ選択の影響を除去することは必要ではない。この事実は、本明細書にて詳細に説明した、完全にパラメータ化された手法、及び部分的にパラメータ化されたＣＱＩ評価手法の両方をより単純化する。具体的には、他信号―パイロット信号送信電力比のＭＬ評価は、現在のアンテナ選択ａ‐ｄｓが既知であることで単純化され、よって探索空間の大きさは著しく低減される。この点について、動的送信アンテナ選択を行うシステム１０のために、少なくとも１つの送信機１２の実施形態は、受信機１６へ現時点の送信アンテナ選択を提供する転送リンク信号を使用し、それにより受信機１６における他信号―パイロット信号送信電力比のＭＬ評価を単純化する。
【０１２９】
受信機１６におけるＣＱＩ評価を単純化するさらに別の方法は、連続する複数のサービス間隔（例えばＴＴＩ）について各時間に同一の送信アンテナ選択を用いて同一の受信機をスケジューリングするように、送信機１２を構成することである。この場合、スケジューリングされていない受信機は、最初のＴＴＩの間に現時点の送信アンテナ選択ａ‐ｄｓを評価する必要があるが、スケジューリングされた受信機が変化するまでは再度それを評価する必要はない。
【０１３０】
部分パラメータ法において、逆拡散の前に受信したチップサンプルから評価されるデータ共分散行列の代わりに、逆拡散パイロット値から評価される障害共分散行列を用いることが可能である。この代替法は、等式（１９）におけるＲＯＳ，ＯＣの評価を単純化し、トラヒック―パイロット信号比αＴ／Ｐ（ｍ）が要求されなくなる。これは、異なる送信アンテナ４０上のパイロット符号が直交し、ｈ％ｍｈ％＋ｍの項がパイロットの逆拡散の後に現れなくなるためである。トレードオフは、チップサンプルよりも平均化すべきパイロットシンボルが相当に少ないため、逆拡散後の障害共分散行列において、逆拡散前のデータ共分散行列よりも雑音が多くなることである。
【０１３１】
前述の手法と同様、障害共分散行列は、送信機１２に使用されていない符号の逆拡散を通して評価することもできる。ここでも、トラヒック―パイロット信号比の評価は必要とされない。未使用符号が小さな拡散因子のものである場合には、得られる共分散行列は、パイロット符号を逆拡散して得られるよりも少ない雑音を持ち得る。よって、複数の未使用符号が存在する場合、評価された障害共分散行列は、雑音をさらに低減するために、それら符号について平均化することができる。
【０１３２】
他セル干渉の電力レベルが現時点の無線セル内において受信機１６の移動によって大きくは変わらないことから、雑音レベルＮｏを明示的に評価する代替法は、いくつかの合意された名目上の値を使用することである。また別の手法は、雑音レベルの便乗評価（ｏｐｐｏｒｔｕｎｉｓｔｉｃ  ｅｓｔｉｍａｔｅ）、即ちＳＩＮＲの評価が非常に低い場合には雑音レベルの評価はきわめて良好だとすることである。これは低ＳＮＲにおいて評価におけるバイアスが低減されることを理由とする。受信機１６を時間を追って評価されるＳＩＮＲを追跡するように構成した場合、雑音レベルの評価を便乗的に行うことができる。いくつかの場合には、レベルは多くの送信機（例えば移動通信ネットワーク内の無線基地局）からの平均であるため、他セル干渉のレベルは極めて安定し、よって本手法は適度な正確性を提供することができる。
【０１３３】
また、完全パラメータ法において他セル干渉を白色雑音としてモデル化するのではなく、ある修正モデルを非対角のＲＯＣについて用いることができる。この修正モデルは、例えば、チャネルに対して独立とし、それによりチップパルス波形による“平均色（ａｖｅｒａｇｅ  ｃｏｌｏｒ）”を捕捉するものとすることができる。
【０１３４】
よって、以上の点を念頭に置くと、ＭＩＭＯなどの複雑な送信及び受信環境に関連する様々なフェーディング経路、信号の形態、及び送信電力割当てを考慮に入れた上で、受信信号についての障害相関を判定するように受信機１６は構成されることが理解されるであろう。より具体的には、以上の検討では、障害相関行列Ｒ％の様々な成分の判定について完全にパラメータ化された実施形態と部分的にパラメータ化された実施形態が提示された。完全及び部分パラメータ法の両方とも、その目標は、式（６）で与えられた受信機１６のｎ番目の段階についての障害共分散行列を形成することであり―ｎは１と等しくてもよい―ここに再度記載する：
【０１３５】
【数３１】
2008546349.tif 000033
ここでＲ％ｄｓ（ｎ）は式（８）で与えられる。完全な手法の両方において、式（８）内の全ての量は、システム設定により、転送リンク信号を通して、または名目上の値を用いて既知であると想定される。よって、障害共分散行列のこの部分は、式（１）の既知の純応答ベクトルｈ％ｍと式（９）内に与えられた既知のＩＳＩ／ＭＡＩ行列Ｒ％ｍとを用いて直接的に計算してもよい。ｈ％ｍとＲ％ｍの両方はチャネル評価に基づいて計算される。２つの手法の違いは、Ｒ％ＯＳとＲ％ＯＣをどのように計算するかである。
【０１３６】
完全パラメータ法では、受信機１６はＲ％ＯＳとＲ％ＯＣをそららの定式から直接形成するように構成され、そのため“完全パラメータ”と呼ばれる。Ｒ％ＯＳを左右する等式は式（７）であって、即ち：
【０１３７】
【数３２】
2008546349.tif 000034
この手法において、他セル干渉は白色雑音としてモデル化され、よってＲ％ＯＣは次式で与えられる：
【０１３８】
【数３３】
2008546349.tif 000035
【０１３９】
これら３つの等式は、他信号―パイロット信号電力比βＯＳ／ＰＳ及び他セル干渉電力ＮＯを除いて既知であることを前提としている。これらが一度評価された場合は、障害共分散行列のこれら部分を直接計算してもよい。
【０１４０】
部分パラメータ法を再検討すると、受信機１６は、障害相関評価における他信号及び他セルの項を１つに合成された項とする評価の基準として扱うように構成される。換言すると、受信機１６は、次式を評価するように構成される：
【０１４１】
【数３４】
2008546349.tif 000036
この手法は、受信機１６がＲ％ｄｓ（ｎ）をパラメータ的に形成し、Ｒ％ＯＳ，ＯＣを非パラメータ的に形成するため、“部分パラメータ”と呼ばれる。
【０１４２】
当然ながら、本明細書において既に説明したように、完全及び部分パラメータ法は共に、複数の評価技術を用いる。例えば、本開示における重要な部分は、必要となる量の評価のための３つの技術であって、即ち完全パラメータ法についてのβＯＳ／ＰＳ及びＮＯ、並びに部分パラメータ法についてのＲ％ＯＳ，ＯＣである。これら評価技術には、最小二乗（ＬＳ）法、最大尤度（ＭＬ）法、及び最小固有値（ＭｉｎＥｖ）法が含まれる。
【０１４３】
最小二乗法は、他セル干渉電力ＮＯの評価と、式（１１）の関係で定義されたいわゆるトラヒック―パイロット信号比αＴ／Ｐ（ｍ）とを算出する。さらにＭＬの処理は、他信号―パイロット信号電力比βＯＳ／ＰＳの評価と、本明細書にて既に定義した現時点のデータ信号送信アンテナ電力分配ベクトルａ‐ｄｓとを算出する。前述の詳細から理解されるように、完全及び部分パラメータ法は、３つの評価技術の様々な組合せを用いる。
【０１４４】
例えば、完全パラメータ法は、βＯＳ／ＰＳとＮＯの評価に依存する。受信機１６は、ＮＯの最初の評価を取得するためにＬＳまたはＭｉｎＥｖ法のいずれかを使用し、ＭＬ法は次にβＯＳ／ＰＳを取得するために用いられる。現在のアンテナ選択ａ‐ｄｓは、ＭＬの評価において結合的に取得され、他セル干渉電力の精緻化された評価を望むかどうかに依存して後で使用してもしなくてもよい。精緻化された他セル干渉電力ＮＯは、再度ＭＬを用いて取得することができ、その場合にはβＯＳ／ＰＳとａ‐ｄｓとを既知の値（直前に得られた評価を用いる）、ＮＯを未知の値として扱うことが異なる。
【０１４５】
部分パラメータ法について、受信機１６はＲ％ＯＳ，ＯＣを評価するが、このときトラヒック―パイロット信号比αＴ／Ｐ（ｍ）と現在のアンテナ選択ａ‐ｄｓの知識が求められる。トラヒック―パイロット信号比αＴ／Ｐ（ｍ）はＬＳ法を通して得られる。他セル干渉電力ＮＯもまたその処理の一部として得られるが、必要とはされない。現在のアンテナ選択ａ‐ｄｓはＭＬ法を通して得られ、それによりさらに本手法では必要とされない他信号―パイロット信号電力比βＯＳ／ＰＳも算出される。
【０１４６】
図９は、完全パラメータ法における障害相関処理を実行するための、受信機１６の１つ以上の処理回路２０内に実装され得る処理ロジックの１つの実施形態を描いている。こうした処理は、受信機１６内でハードウェア、ソフトウェア、またはそれらの組合せによって実行することができ、“データサンプル障害相関”としても言及されるチップサンプル共分散行列の評価Ｒ＾ｒを式（１０）のように形成するところから開始される（ステップ１１０）。処理は、“ｋ＝０”の項を省略することを除いて式（９）に従ったＩＳＩ／ＭＡＩ障害相関Ｒ％ｍの計算に続く（ステップ１１２）。そして、本明細書にて既に説明したＭｉｎＥｖまたはＬＳ法のいずれかが、他セル干渉電力ＮＯの粗い評価を得るために用いられる（ステップ１１４）。（トラヒック―パイロット信号比αＴ／Ｐ（ｍ）はＬＳ法の副産物だが、これらは破棄または無視してもよい。）
【０１４７】
処理は継続し、ＭＬ処理においてＮＯの評価を用いて他信号―パイロット信号電力比βＯＳ／ＰＳ、即ち送信アンテナ１４について他信号―パイロット信号送信電力比が取得される（ステップ１１６）。前述したとおり、現在のアンテナ選択ａ‐ｄｓはこの技術の副産物だが、これは他セル干渉電力の精緻化された評価を望むかどうかに依存して後で使用してもよい。ここで、ステップ１１６の処理を、精緻化された他セル干渉電力の評価値、及び精緻化され得るβＯＳ／ＰＳの評価値を取得するために繰り返してもよいことに注意して欲しい。処理は継続し、他信号成分ＲＯＳ及び他セル成分ＲＯＣについてのパラメータ形式であるβＯＳ／ＰＳ及びＮＯの最終的な評価を用いて障害共分散行列Ｒ％（ｎ）が計算される（ステップ１１８）。
【０１４８】
図１０は、同様の、しかし障害相関Ｒ％の部分パラメータ判定に関連して設定された処理を表している。ここでも、受信機１６の１つ以上の処理回路２０は、図示された処理を実行するために、ハードウェア、ソフトウェア、またはそれらの組合せを備え得る。
【０１４９】
このことを念頭に置き、処理は、チップサンプル共分散行列の評価Ｒ＾ｒを式（１０）のように形成するところから開始される（ステップ１２０）。処理は継続し、“ｋ＝０”の項を省略することを除き式（９）に従ってＩＳＩ／ＭＡＩ障害相関Ｒ％ｍが計算される（ステップ１２２）。そして、受信機は、既に説明したＬＳ法を用いてトラヒック―パイロット信号比αＴ／Ｐ（ｍ）の評価を取得する（ステップ１２４）。前述のとおり、他セル干渉電力ＮＯはＬＳ法の副産物であって本手法ではこれを無視することができる。処理は継続し、受信機１６がＭＬの定式化を用いて現在のアンテナ選択の評価ａ‐ｄｓを取得する（ステップ１２６）。前述のとおり、他信号―パイロット信号電力比βＯＳ／ＰＳは本手法の副産物であってこれもまた無視することができる。処理は継続し、受信機１６がαＴ／Ｐ（ｍ）及びａ‐ｄｓを用いて障害共分散行列の合成された他信号及び他セル部分、即ち式（１９）を用いてＲ％ＯＳ，ＯＣ（前記等式（２７）参照）を評価する（ステップ１２８）。これらによって、式（２４）内の障害共分散行列Ｒ％（ｎ）の全ての項が障害相関全体の評価のために利用可能となる（ステップ１３０）。
【０１５０】
以上より、受信機１６はＭＩＭＯ及び他の潜在的に複雑な受信環境下における障害相関を判定するよう構成され、障害相関評価は本明細書で開示したように送信アンテナ１４の組合せのうち異なるものから送信される様々な形態の信号の効果を考慮していることが理解されるべきである。この点を念頭に置き、本発明はここまでの説明によって限定されず、また添付した図面によっても限定されない。その代わりに、本発明は添付の特許請求の範囲、及びそれらの法上の均等物によってのみ限定される。
【図面の簡単な説明】
【０１５１】
【図１】１つ以上の無線通信受信機へ送信を行う複数アンテナ送信機を含む、無線通信の部分的なブロック図である。
【図２】図１の送信機における、そこから送信される異なる種類の信号向けの送信電力割当てを示す図である。
【図３】図１の送信機における、そこから送信される異なる種類の信号向けの送信アンテナ電力分配を示す図である。
【図４】本明細書で開示されるチャネル品質評価の１つの実施形態に応じた、図１の無線通信受信機におけるチャネル品質評価のロジックフロー図である。
【図５】無線通信受信機が送信機でのＳ−ＰＡＲＣの動作のためにアンテナ選択フィードバックを提供するよう適合される、図１の送信機の選択的アンテナ別速度制御（Ｓ−ＰＡＲＣ）のブロック図である。
【図６】図１の無線通信受信機の連続的干渉除去（ＳＩＣ）汎用ＲＡＫＥ（Ｇ−ＲＡＫＥ）の実施形態のブロック図である。
【図７】図６のＳＩＣ  Ｇ−ＲＡＫＥ向けのＳＩＣ  Ｇ−ＲＡＫＥの１段階の１つの実施形態のブロック図である。
【図８】最小平均二乗誤差法によるシンボル検知または結合シンボル検知のために構成された図１の無線通信受信機のＧ−ＲＡＫＥの実施形態のブロック図である。
【図９】完全パラメータ法に応じて、データ信号障害相関評価、他信号障害相関評価、並びに他セル及び雑音障害相関評価の関数として障害相関評価全体または総計を判定するための処理ロジックの１つの実施形態のロジックフロー図である。
【図１０】部分パラメータ法に応じて、データ信号障害相関評価、他信号障害相関評価、並びに他セル及び雑音障害相関評価の関数として障害相関評価全体または総計を判定するための処理ロジックの１つの実施形態のロジックフロー図である。
【図１】
2008546349.tif 000037
【図２】
2008546349.tif 000038
【図３】
2008546349.tif 000039
【図４】
2008546349.tif 000040
【図５】
2008546349.tif 000041
【図６】
2008546349.tif 000042
【図７】
2008546349.tif 000043
【図８】
2008546349.tif 000044
【図９】
2008546349.tif 000045
【図１０】
2008546349.tif 000046
【国際調査報告】
2008546349.tif 000047
2008546349.tif 000048